(57)【要約】      （修正有）【課題】使用頻度が高く低流量域内の吐水が可能な操作範囲を大きく確保することができ流量調節をし易くすることができる湯水混合バルブ装置を提供する。【解決手段】本発明の湯水混合バルブ装置１は、固定弁体１４と、この固定弁体の通湯路及び通水路を開閉する可動弁体１６と、湯水混合水栓装置の操作ハンドルと共に可動弁体の摺動面に対して交差する方向に所定の操作角度の範囲で回動して可動弁体を操作する操作レバー部材と、を有し、所定の流調操作角度θは、全閉状態操作角度θ０と、全開状態操作角度θｍａｘと、全閉状態操作角度と全開状態操作角度との間にある中間開状態操作角度θ２と、を備え、可動弁体の連通路１６ａは、中間開状態操作角度θ２が全閉状態操作角度と全開状態操作角度とのほぼ中間の操作角度であるときに、連通路を通過する湯水の流量を最大流量の半分未満の低流量域内に設定する流量絞り用の突起３２，３４を備えている。【選択図】図４
2015197115.tif 000002
【特許請求の範囲】
【請求項１】
湯水を吐止水する湯水混合水栓に組み込まれ、この湯水混合水栓の操作部の操作に応じて吐水される湯水の温度や流量が調節可能な湯水混合バルブ装置であって、
ケーシングと、
このケーシング内に固定され、給湯源から供給された湯が流れる通湯路及び給水源から供給された水が通過する通水路が形成された固定弁体と、
前記ケーシング内に設けられて前記固定弁体に対して摺動することにより前記固定弁体の通湯路及び通水路を開閉する可動弁体であって、この可動弁体が開弁状態のときに前記固定弁体の通湯路及び通水路のうちの少なくとも一方と連通可能な連通路が形成された前記可動弁体と、
前記湯水混合水栓の操作部と前記可動弁体とを接続し、前記湯水混合水栓の操作部と共に前記可動弁体の摺動面に対して交差する方向に所定の操作角度の範囲で回動することにより、前記可動弁体を閉弁状態から前記開弁状態まで操作する操作レバー部と、を有し、
前記所定の操作角度は、前記固定弁体の通湯路及び通水路が前記可動弁体によって閉鎖された全閉状態となる全閉状態操作角度と、前記可動弁体の連通路を通過する湯水の流量が最大流量となるように前記固定弁体の通湯路及び通水路の少なくとも一方が前記可動弁体によって全開状態で開放される全開状態操作角度と、前記全閉状態操作角度と前記全開状態操作角度との間にあり且つ前記可動弁体が前記全開状態のときよりも小さい開度で中間開状態となる中間開状態操作角度と、を備え、
前記可動弁体の連通路は、前記中間開状態操作角度が前記全閉状態操作角度と前記全開状態操作角度とのほぼ中間の操作角度であるときに、前記連通路を通過する湯水の流量を前記最大流量の半分未満の低流量域内に設定する流量絞り部を備えていることを特徴とする湯水混合バルブ装置。
【請求項２】
前記中間開状態操作角度は、前記全閉状態操作角度と前記全開状態操作角度との中間値となる操作角度であり且つ前記可動弁体を第１の中間開状態に設定する第１の中間開状態操作角度と、この第１の中間開状態操作角度よりも大きく且つ前記可動弁体を前記第１の中間開状態よりも開度が大きい第２の中間開状態に設定する第２の中間開状態操作角度と、を備え、前記湯水混合水栓の操作部及び前記操作レバー部を前記全閉状態操作角度から前記第２の中間開状態操作角度まで操作したときに操作角度の増加に伴って前記連通路を通過する湯水の流量増加量の変化率である第１の流量増加率は、前記湯水混合水栓の操作部及び前記操作レバー部を前記第２の中間開状態操作角度から前記全開状態操作角度まで操作したときに操作角度の増加に伴って前記連通路を通過する湯水の流量増加量の変化率である第２の流量増加率よりも小さく設定されている請求項１記載の湯水混合バルブ装置。
【請求項３】
前記連通路の流量絞り部は、突起部として形成されており、この突起部の基端から先端までの長さは、前記固定弁体の通湯路及び通水路の流路断面の幅寸法よりも小さく設定されている請求項１又は２に記載の湯水混合バルブ装置。
【請求項４】
前記突起部は、平面視においてほぼ円弧形状に形成されている請求項３記載の湯水混合バルブ装置。
【請求項５】
前記突起部は、平面視において、その幅寸法が前記固定弁体の前記通湯路と前記通水路との間の距離よりも大きく設定されている請求項３又は４に記載の湯水混合バルブ装置。
【請求項６】
前記連通路の流量絞り部は、前記固定弁体の通湯路及び通水路と対向している前記連通路内の周面部分の一部が前記連通路の流路断面を狭めるように前記可動弁体の前後方向に対して所定角度傾けたテーパ形状に形成されている請求項１又は２に記載の湯水混合バルブ装置。
【発明の詳細な説明】
【技術分野】
【０００１】
本発明は、湯水混合バルブ装置に係り、特に、湯水を吐止水する湯水混合水栓に組み込まれ、この湯水混合水栓の操作部の操作に応じて吐水される湯水の温度や流量が調節可能な湯水混合バルブ装置に関する。
【背景技術】
【０００２】
従来から、湯水を吐止水する湯水混合水栓に組み込まれ、この湯水混合水栓の操作部の操作に応じて吐水される湯水の温度や流量が調節可能な湯水混合バルブ装置として、例えば、特許文献１に記載されているように、単一の操作レバーハンドルを左右方向に回動操作することによって吐水される湯水の温度を調節する温調機能と、操作レバーを上下方向に回動操作することによって吐水される湯水の流量を調節する流調機能を備えた湯水混合水栓（いわゆる「シングルレバー式の湯水混合水栓」）の内部に組み込まれたものが知られている。
【０００３】
このような特許文献１に記載されている従来の湯水混合バルブ装置においては、ケーシング内に固定され、給湯源から供給された湯が流れる通湯路及び給水源から供給された水が通過する通水路が形成された固定弁体と、この固定弁体に対して摺動することにより固定弁体の通湯路及び通水路を開閉する可動弁体と、湯水混合水栓の操作レバーハンドルと可動弁体とを接続し、湯水混合水栓の操作レバーハンドルと共に左右方向に回動することにより湯水の温調を操作する操作レバー部とを備えている。また、可動弁体には、この可動弁体が開弁状態であるときに固定弁体の通湯路及び通水路のうちの少なくとも一方と連通可能な連通路が形成され、この連通路には、操作レバー部を湯水混合水栓の操作レバーハンドルと共に左右方向に回動操作したときに、その回動方向に関わらず連通路の開口断面積をほぼ一定に保つように突起が設けられているため、シングルレバー式の湯水混合水栓による湯水の温調を行い易くすることができるようになっている。
【０００４】
一方、上述した特許文献１に記載されている湯水混合バルブ装置を含め、従来の一般的な湯水混合バルブ装置においては、吐水される湯水の流量を調節する際には、操作レバー部を湯水混合水栓の操作レバーハンドルと共に上下方向に回動操作することにより湯水の流調が可能となっている。また、可動弁体が固定弁体の通湯路及び通水路の双方を閉鎖している全閉状態から、操作レバー部を上下方向に回動操作して、吐水される湯水の流量を調節する際に、可動弁体が全閉状態から操作レバー部を上下方向に所定の操作角度の範囲まで回動させても、可動弁体の全閉状態が維持されるようになっている。そして、操作レバー部の操作角度をさらに大きく設定すると、可動弁体の開弁が開始し、その後、操作角度を大きく設定する程、湯水の流量がほぼ比例的に増加し、可動弁体が全開状態となる最大流量まで流量調節を行うことができるようになっている。
【先行技術文献】
【特許文献】
【０００５】
【特許文献１】特開平６−１８５６３９号公報
【発明の概要】
【発明が解決しようとする課題】
【０００６】
しかしながら、上述した特許文献１に記載されている湯水混合バルブ装置を含め、従来の一般的な湯水混合バルブ装置においては、吐水される湯水の流調を行う際に、湯水混合水栓から吐水が開始されてから比較的低い流量域内で吐水を行うことができる操作レバー部及び湯水混合水栓の操作レバーハンドルの操作範囲内では、湯水の流量変化が小さく、流量調節もし易いため、使用頻度も高いが、このような低流量域内で吐水を調節できる操作範囲は、可動弁体を全閉状態から全開状態にするまでの操作レバー部及び湯水混合水栓の操作レバーハンドルの全操作範囲内の僅かな狭い範囲に限られている。
したがって、湯水混合水栓から高流量域内で吐水を行うことは十分に可能であっても、吐水の流量変化が大きいため、流量調節もし難く、使用頻度も低い操作範囲が全操作範囲内のほとんどの範囲を占有しており、使用者にとっては使い勝手が良くないという問題がある。
また、高い流量域内で吐水の流量調節が行われている状態では、水撥ねが生じるという問題や、操作レバー部の単位操作角度当たりの流量変化も大きく、所望の流量に調節するのが難しく、流量調節にも時間を要することにもなるため、所望の流量に調節している間に無駄水を吐水してしまうという問題もある。
【０００７】
そこで、本発明は、上述した従来技術の問題を解決するためになされたものであり、使用頻度が高く低流量域内の吐水が可能な操作範囲を大きく確保することができ、流量調節をし易くすることができる湯水混合バルブ装置を提供することを目的としている。
【課題を解決するための手段】
【０００８】
上記の目的を達成するために、本発明は、湯水を吐止水する湯水混合水栓に組み込まれ、この湯水混合水栓の操作部の操作に応じて吐水される湯水の温度や流量が調節可能な湯水混合バルブ装置であって、ケーシングと、このケーシング内に固定され、給湯源から供給された湯が流れる通湯路及び給水源から供給された水が通過する通水路が形成された固定弁体と、前記ケーシング内に設けられて前記固定弁体に対して摺動することにより前記固定弁体の通湯路及び通水路を開閉する可動弁体であって、この可動弁体が開弁状態のときに前記固定弁体の通湯路及び通水路のうちの少なくとも一方と連通可能な連通路が形成された前記可動弁体と、前記湯水混合水栓の操作部と前記可動弁体とを接続し、前記湯水混合水栓の操作部と共に前記可動弁体の摺動面に対して交差する方向に所定の操作角度の範囲で回動することにより、前記可動弁体を閉弁状態から前記開弁状態まで操作する操作レバー部と、を有し、前記所定の操作角度は、前記固定弁体の通湯路及び通水路が前記可動弁体によって閉鎖された全閉状態となる全閉状態操作角度と、前記可動弁体の連通路を通過する湯水の流量が最大流量となるように前記固定弁体の通湯路及び通水路の少なくとも一方が前記可動弁体によって全開状態で開放される全開状態操作角度と、前記全閉状態操作角度と前記全開状態操作角度との間にあり且つ前記可動弁体が前記全開状態のときよりも小さい開度で中間開状態となる中間開状態操作角度と、を備え、前記可動弁体の連通路は、前記中間開状態操作角度が前記全閉状態操作角度と前記全開状態操作角度とのほぼ中間の操作角度であるときに、前記連通路を通過する湯水の流量を前記最大流量の半分未満の低流量域内に設定する流量絞り部を備えていることを特徴としている。
このように構成された本発明においては、湯水混合水栓から吐水される湯水の流量を調節する際、湯水混合水栓の操作部の操作によって操作レバー部を可動弁体の摺動面に対して交差する方向に、全閉状態操作角度から全開状態操作角度までの範囲内で回動させることにより、可動弁体を閉弁状態から最大流量の湯水を通過させる開弁状態まで固定弁体に対して摺動させて操作することができる。また、可動弁体の連通路が流量絞り部を備えていることにより、湯水混合水栓の操作部及び操作レバー部が全閉状態操作角度と全開状態操作角度とのほぼ中間の操作角度である中間開状態操作角度に設定されているときに可動弁体の連通路を通過する湯水の流量が最大流量の半分未満の低流量域内に設定されるため、特に、湯水混合水栓の操作部及び操作レバー部を少なくとも全閉状態操作角度から中間開状態操作角度まで設定している使用頻度が高い操作範囲では、湯水混合水栓から吐水が開始されてから低流量域内で吐水を行うことができる。したがって、湯水混合水栓の操作部及び操作レバー部の操作範囲全体のうち、使用頻度が高く且つ低流量域内の吐水が可能な操作範囲を大きく確保することができるため、流量調節をし易くすることができる。
【０００９】
本発明において、好ましくは、前記中間開状態操作角度は、前記全閉状態操作角度と前記全開状態操作角度との中間値となる操作角度であり且つ前記可動弁体を第１の中間開状態に設定する第１の中間開状態操作角度と、この第１の中間開状態操作角度よりも大きく且つ前記可動弁体を前記第１の中間開状態よりも開度が大きい第２の中間開状態に設定する第２の中間開状態操作角度と、を備え、前記湯水混合水栓の操作部及び前記操作レバー部を前記全閉状態操作角度から前記第２の中間開状態操作角度まで操作したときに操作角度の増加に伴って前記連通路を通過する湯水の流量増加量の変化率である第１の流量増加率は、前記湯水混合水栓の操作部及び前記操作レバー部を前記第２の中間開状態操作角度から前記全開状態操作角度まで操作したときに操作角度の増加に伴って前記連通路を通過する湯水の流量増加量の変化率である第２の流量増加率よりも小さく設定されている。
このように構成された本発明においては、可動弁体が閉弁状態であるときの全閉状態操作角度から、全閉状態操作角度と全開状態操作角度との中間値となる第１の中間開状態操作角度よりも大きい第２の中間開状態操作角度までの湯水混合水栓の操作部及び操作レバー部の操作角度の範囲が、第２の中間開状態操作角度から全開状態操作角度までの湯水混合水栓の操作部及び操作レバー部の操作角度の範囲よりも大きく設定されると共に、湯水混合水栓の操作部及び操作レバー部を全閉状態操作角度から第２の中間開状態操作角度まで操作したときに操作角度の増加に伴って可動弁体の連通路を通過する湯水の流量増加量の変化率である第１の流量増加率が、湯水混合水栓の操作部及び操作レバー部を第２の中間開状態操作角度から前記全開状態操作角度まで操作したときに操作角度の増加に伴って可動弁体の連通路を通過する湯水の流量増加量の変化率である第２の流量増加率よりも小さく設定されているため、操作レバー部及び湯水混合水栓の操作部の操作範囲全体のうち、全閉状態操作角度から第２の中間開状態操作角度までの大半の操作範囲を、低流量域の吐水を実現する操作範囲として割り当てることができると共に、第２の中間開状態操作角度から全開状態操作角度までの小さい操作範囲を、高流量域の吐水を実現する操作範囲として割り当てることができる。したがって、湯水混合水栓の低流量域内の吐水が要求されている場合には、湯水混合水栓の操作部及び操作レバー部を全閉状態操作角度から第２の中間開状態操作角度までの大きな操作範囲で操作することにより、湯水混合水栓から吐水が開始されてから低流量域内で吐水を行うことができるため、可動弁体の連通路を通過する湯水を、第２の流量増加率よりも小さい第１の流量増加率で細やかに流量調節を行うことができる。一方、湯水混合水栓の高流量内の吐水が要求されている場合には、第２の中間開状態操作角度から全開状態操作角度までの小さい操作範囲で湯水混合水栓の操作部及び操作レバー部を操作することにより、可動弁体の連通路を通過する湯水を、第１の流量増加率よりも大きい第２の流量増加率で迅速に流量調節を行い、高流量域内で吐水を行うことができ、使用者に対して高い操作性を実現することができる。
【００１０】
本発明において、好ましくは、前記連通路の流量絞り部は、突起部として形成されており、この突起部の基端から先端までの長さは、前記固定弁体の通湯路及び通水路の流路断面の幅寸法よりも小さく設定されている。
このように構成された本発明においては、可動弁体の連通路の流量絞り部が突起部として形成されており、この突起部の基端から先端までの長さが、固定弁体の通湯路及び通水路の流路断面の幅寸法よりも小さく設定されているため、湯水混合水栓の操作部及び操作レバー部を少なくとも全閉状態操作角度から中間開状態操作角度まで設定している使用頻度が高い操作範囲では、可動弁体によって開放される固定弁体の通湯路及び通水路の開口面積を突起部によって適度に狭めることができる。したがって、湯水混合水栓から吐水が開始されてから低流量域内で吐水を効果的に行うことができ、流量調節をし易くすることができる。一方、湯水混合水栓の操作部及び操作レバー部を中間開状態操作角度から全開状態操作角度まで設定している使用頻度が低い操作範囲では、固定弁体の通湯路及び通水路の少なくとも一方から可動弁体の連通路に流入した湯水が、突起部の周囲を通過しやくなるため、高流量域内で吐水を行うことができ、使用者に対して高い操作性を実現することができる。
【００１１】
本発明において、好ましくは、前記突起部は、平面視においてほぼ円弧形状に形成されている。
このように構成された本発明においては、突起部が平面視においてほぼ円弧形状に形成されていることにより、特に、湯水混合水栓の操作部及び操作レバー部の操作により低流量域内の吐水状態から高流量域内の吐水状態に切り替える流量調節を行う際に、切り替えの前後で、操作角度の増加に伴って可動弁体の連通路を通過する湯水の流量増加量の変化率を非線形的に変化させることができるため、吐水流量をより滑らかに変化させて細やかな流量調節を行うことができる。
【００１２】
本発明において、好ましくは、前記突起部は、平面視において、その幅寸法が前記固定弁体の前記通湯路と前記通水路との間の距離よりも大きく設定されている。
このように構成された本発明においては、突起部の平面視における幅寸法が固定弁体の通湯路と通水路との間の距離よりも大きく設定されているため、湯水混合水栓の操作部及び操作レバー部の操作により可動弁体の連通路の突起部が固定弁体の通湯路と通水路との間に跨って配置される状態のときに、突起部が固定弁体の通湯路及び通水路のそれぞれの流路断面を部分的に確実に狭めることができる。したがって、固定弁体の通湯路及び通水路のそれぞれから可動弁体の連通路に流入する湯水に対して効果的に流量を絞ることができる。
【００１３】
本発明において、好ましくは、前記連通路の流量絞り部は、前記固定弁体の通湯路及び通水路と対向している前記連通路内の周面部分の一部が前記連通路の流路断面を狭めるように前記可動弁体の前後方向に対して所定角度傾けたテーパ形状に形成されている。
このように構成された本発明においては、固定弁体の通湯路及び通水路と対向している可動弁体の連通路内の周面部分の一部が連通路の流路断面を狭めるように可動弁体の前後方向に対して所定角度傾けたテーパ形状に形成されている流量絞り部を採用することによって、湯水混合水栓の操作部及び操作レバー部を少なくとも全閉状態操作角度から中間開状態操作角度まで設定している使用頻度が高い操作範囲では、可動弁体によって開放される固定弁体の通湯路及び通水路の開口面積をテーパ形状の流量絞り部によって適度に狭めることができる。したがって、湯水混合水栓から吐水が開始されてから低流量域内で吐水を効果的に行うことができ、流量調節をし易くすることができる。一方、湯水混合水栓の操作部及び操作レバー部を中間開状態操作角度から全開状態操作角度まで設定している使用頻度が低い操作範囲状態では、固定弁体の通湯路及び通水路の少なくとも一方から可動弁体の連通路に流入した湯水が、テーパ形状の流量絞り部を通過しやくなるため、高流量域内で吐水を行うことができ、使用者に対して高い操作性を実現することができる。
【発明の効果】
【００１４】
本発明の湯水混合バルブ装置によれば、使用頻度が高く低流量域内の吐水が可能な操作範囲を大きく確保することができ、流量調節をし易くすることができる。
【図面の簡単な説明】
【００１５】
【図１】本発明の第１実施形態による湯水混合バルブ装置が組み込まれた湯水混合水栓装置を斜め前方から見た概略斜視図である。
【図２】本発明の第１実施形態による湯水混合バルブ装置が組み込まれた湯水混合水栓装置の概略平面図であり、混合湯水を吐水させる湯水混合操作領域、湯のみを吐水させる湯側操作領域、及び水のみを吐水させる水側操作領域を概略的に説明した図である。
【図３】本発明の第１実施形態による湯水混合バルブ装置を斜め後方から見た分解斜視図である。
【図４】本発明の第１実施形態による湯水混合バルブ装置において、湯水混合水栓装置の操作ハンドルを中央の温調操作位置（湯水混合水栓装置の正面位置）に設定し且つ流調操作角度を０度に設定したときの全閉状態の可動弁体と固定弁体を示す平面図である。
【図５】本発明の第１実施形態による湯水混合バルブ装置が組み込まれた湯水混合水栓装置の操作ハンドルの流調操作角度θと可動弁体の連通路と連通する固定弁体の通湯路及び通水路の開口面積ＳTとの関係について定性的に説明した線図であり、可動弁体の連通路に流量絞り用の突起が設けられていない場合の比較例と比較した図である。
【図６】本発明の第１実施形態による湯水混合バルブ装置が組み込まれた湯水混合水栓装置の操作ハンドルの流調操作角度θと流量Ｑとの関係について定性的に説明した線図であり、可動弁体の連通路に流量絞り用の突起が設けられていない場合の比較例と比較した図である。
【図７】図７の（ａ）は、本発明の第１実施形態による湯水混合バルブ装置において、湯水混合水栓装置の操作ハンドルを中央の温調操作位置（湯水混合水栓装置の正面位置）に設定し且つ流調操作角度を１５度に設定して湯水を吐水している状態の可動弁体と固定弁体を示し平面図であり、図７の（ｂ）は、図７（ａ）に示す本発明の第１実施形態による湯水混合バルブ装置の可動弁体に対する比較例であり、可動弁体の連通路に流量絞り用の突起が設けられていない状態の可動弁体と固定弁体を示す平面図である。
【図８】図８の（ａ）は、本発明の第１実施形態による湯水混合バルブ装置において、湯水混合水栓装置の操作ハンドルを最も湯側の温調操作位置に設定し且つ流調操作角度を１５度に設定して湯のみを吐水している状態の可動弁体と固定弁体を示す平面図であり、図８の（ｂ）は、図８の（ａ）に示す本発明の第１実施形態による湯水混合バルブ装置の可動弁体に対する比較例であり、可動弁体の連通路に流量絞り用の突起が設けられていない状態の可動弁体と固定弁体を示す平面図である。
【図９】図９の（ａ）は、本発明の第１実施形態による湯水混合バルブ装置において、湯水混合水栓装置の操作ハンドルを最も水側の温調操作位置に設定し且つ流調操作角度を１５度に設定して水のみを吐水している状態の可動弁体と固定弁体を示す平面図であり、図９の（ｂ）は、図９の（ａ）に示す本発明の第１実施形態による湯水混合バルブ装置の可動弁体に対する比較例であり、可動弁体の連通路に流量絞り用の突起が設けられていない状態の可動弁体と固定弁体を示す平面図である。
【図１０】本発明の第２実施形態による湯水混合バルブ装置が組み込まれた湯水混合水栓装置の概略平面図であり、湯のみを吐水させる湯側操作領域、水のみを吐水させる水側操作領域、及び混合湯水を吐水させる湯水混合操作領域を概略的に説明した図である。
【図１１】本発明の第２実施形態による湯水混合バルブ装置において、湯水混合水栓装置の操作ハンドルを中央の温調操作位置（湯水混合水栓装置の正面位置）に設定し且つ流調操作角度を０度に設定したときの全閉状態及び全開状態の可動弁体と固定弁体を示す平面図である。
【図１２】図１２の（ａ）は、本発明の第２実施形態による湯水混合バルブ装置において、湯水混合水栓装置の操作ハンドルを中央の温調操作位置（湯水混合水栓装置の正面位置）に設定し且つ流調操作角度を１５度に設定して水のみを吐水している状態の可動弁体と固定弁体を示す平面図であり、図１２の（ｂ）は、図１２の（ａ）に示す本発明の第２実施形態による湯水混合バルブ装置の可動弁体に対する比較例であり、可動弁体の連通路に流量絞り用の突起が設けられていない状態の可動弁体と固定弁体を示す平面図である。
【図１３】図１３の（ａ）は、本発明の第２実施形態による湯水混合バルブ装置において、湯水混合水栓装置の操作ハンドルを最も湯側の温調操作位置に設定し且つ流調操作角度を１５度に設定して湯のみを吐水している状態の可動弁体と固定弁体を示す平面図であり、図１３の（ｂ）は、図１３の（ａ）に示す本発明の第２実施形態による湯水混合バルブ装置の可動弁体に対する比較例であり、可動弁体の連通路に流量絞り用の突起が設けられていない状態の可動弁体と固定弁体を示す平面図である。
【図１４】図１４の（ａ）は、本発明の第２実施形態による湯水混合バルブ装置において、湯水混合水栓装置の操作ハンドルを最も水側の温調操作位置に設定し且つ流調操作角度を１５度に設定して水のみを吐水している状態の可動弁体と固定弁体を示す平面図であり、図１４の（ｂ）は、図１４（ａ）に示す本発明の第２実施形態による湯水混合バルブ装置の可動弁体に対する比較例であり、可動弁体の連通路に流量絞り用の突起が設けられていない状態の可動弁体と固定弁体を示す平面図である。
【図１５】本発明の第３実施形態による湯水混合バルブ装置において、湯水混合水栓装置の操作ハンドルを中央の温調操作位置（湯水混合水栓装置の正面位置）に設定し且つ流調操作角度を０度に設定したときの全閉状態及び全開状態の可動弁体と固定弁体を示す平面図である。
【図１６】図１６の（ａ）は、本発明の第３実施形態による湯水混合バルブ装置において、湯水混合水栓装置の操作ハンドルを中央の温調操作位置（湯水混合水栓装置の正面位置）に設定し且つ流調操作角度を１５度に設定して水のみを吐水している状態の可動弁体と固定弁体を示す平面図であり、図１６の（ｂ）は、図１６の（ａ）に示す本発明の第３実施形態による湯水混合バルブ装置の可動弁体に対する比較例であり、可動弁体の連通路に流量絞り用のテーパ部が設けられていない状態の可動弁体と固定弁体を示す平面図である。
【図１７】図１７の（ａ）は、本発明の第３実施形態による湯水混合バルブ装置において、湯水混合水栓装置の操作ハンドルを最も湯側の温調操作位置に設定し且つ流調操作角度を１５度に設定して湯のみを吐水している状態の可動弁体と固定弁体を示す平面図であり、図１７の（ｂ）は、図１７の（ａ）に示す本発明の第３実施形態による湯水混合バルブ装置の可動弁体に対する比較例であり、可動弁体の連通路に流量絞り用のテーパ部が設けられていない状態の可動弁体と固定弁体を示す平面図である。
【図１８】図１８の（ａ）は、本発明の第３実施形態による湯水混合バルブ装置において、湯水混合水栓装置の操作ハンドルを最も水側の温調操作位置に設定し且つ流調操作角度を１５度に設定して水のみを吐水している状態の可動弁体と固定弁体を示す平面図であり、図１８の（ｂ）は、図１８の（ａ）に示す本発明の第３実施形態による湯水混合バルブ装置の可動弁体に対する比較例であり、可動弁体の連通路に流量絞り用のテーパ部が設けられていない状態の可動弁体と固定弁体を示す平面図である。
【発明を実施するための形態】
【００１６】
以下、添付図面を参照して本発明の第１実施形態による湯水混合バルブ装置について説明する。
まず、図１は、本発明の第１実施形態による湯水混合バルブ装置が組み込まれた湯水混合水栓装置を斜め前方から見た概略斜視図である。
図１に示すように、本発明の第１実施形態による湯水混合バルブ装置１が組み込まれた湯水混合水栓装置２は、給湯源（図示せず）から供給される湯と給水源（図示せず）から供給される水を混合し、単一の操作ハンドル４を操作することにより湯水の流量と温度を調節した湯水をスパウト６の吐水口６ａから吐止水することができる、いわゆる、シングルレバー式の湯水混合水栓装置である。
【００１７】
すなわち、湯水混合水栓装置２は、台所のシンク又は洗面台のカウンター８上に配置され且つその内部に本実施形態の湯水混合バルブ装置１が内蔵された湯水混合水栓装置本体２ａを備えている。この湯水混合水栓装置本体２ａの外周部の下方領域には、スパウト６が設けられており、湯水混合水栓装置本体２ａの上端部には、湯水混合バルブ装置１の後述する操作レバー部材（図示せず）と接続されている操作ハンドル４が設けられている。
【００１８】
また、操作ハンドル４は、湯水混合バルブ装置１の後述する操作レバー部材（図示せず）と接続されている操作ハンドル本体４ａを備えており、この操作ハンドル本体４ａを水平左右方向に延びる所定の操作軸線Ａ１を中心に鉛直平面内で上下方向に所定の操作角度θ（以下「流調操作角度θ」）の範囲内で図１に示されている矢印「閉」の方向や矢印「開」の方向に回動操作可能となっており、流調操作角度θに応じて湯水混合水栓装置２を止水状態から最大流量の吐水状態まで湯水の吐水流量を調節する流調操作が可能となっている。
例えば、操作ハンドル４の先端部４ｂが最も下方に位置するときの操作ハンドル４の操作角度θを０度し（θ＝０°）、この流調操作角度θが０度の状態を操作ハンドル４の閉位置とし、この閉位置から上方に（図１に示されている矢印「開」の方向）に向かって流調操作角度θが最大で２５度まで操作ハンドル４が回動可能となっており、流調操作角度θが０度から５度までの範囲内では、止水状態が維持され、流調操作角度θが５度よりも大きく且つ最大の２５度までの範囲内では、吐水状態となり、操作角度θが大きい程、スパウト６の吐水口６ａから吐出される湯水の流量を大きく設定することができるようになっている。
【００１９】
さらに、操作ハンドル４は、湯水混合水栓装置本体２ａと操作ハンドル本体４ａのそれぞれの中心を上下方向に延びる中心軸線を操作軸線Ａ２として、この操作軸線Ａ２を中心に水平平面内で左右方向に所定の操作角度φ（以下「温調操作角度φ」）の範囲内で回動操作可能となっており、温調操作角度φに応じて湯水混合水栓装置２のスパウト６の吐水口６ａから吐水される湯水の温度を調節する温調操作が可能となっている。すなわち、操作ハンドル４は、その温調操作角度φに応じて、混合湯水を吐水させる湯水混合操作領域、湯のみを吐水させる湯側操作領域、又は、水のみを吐水させる水側操作領域のいずれかに操作領域に設定可能となっている。
【００２０】
つぎに、図２は、本発明の第１実施形態による湯水混合バルブ装置が組み込まれた湯水混合水栓装置の概略平面図であり、混合湯水を吐水させる湯水混合操作領域、湯のみを吐水させる湯側操作領域、及び水のみを吐水させる水側操作領域を概略的に説明した図である。
図２に示すように  例えば、操作ハンドル４の先端部４ｂが湯水混合水栓装置本体２ａの正面側に差し向けられ、この操作ハンドル４の先端部４ｂの中心Ｃ１が、平面視で操作軸線Ａ２に対して垂直且つ前後方向に延びる軸線Ａ３上にあるときの操作ハンドル４の温調操作角度φを０度とすると（φ＝０°）、操作ハンドル４は、この温調操作角度φが０度のときの中央の温調操作位置Ｐ０から、図１及び図２の矢印「Ｈ」の水平方向（図１及び図２に示す操作軸線Ａ２を上方から見て時計回り（右回り）の方向）に温調操作角度φの大きさが湯側の最大温調操作角度φ１（例えば、φ１＝５０°）まで回動させた温調操作位置Ｐ１まで設定可能となっている。さらに、操作ハンドル４は、図１及び図２の矢印「Ｃ」の水平方向（図１及び図２に示す操作軸線Ａ２を上方から見て反時計回り（左回り）の方向）に温調操作角度φの大きさが水側の最大温調操作角度φ２（例えば、φ２＝５０°）まで回動させた温調操作位置Ｐ２まで設定可能となっている。
すなわち、操作ハンドル４を中央の温調操作位置Ｐ０から湯側の最大温調操作角度φ１に向かって回動操作している場合には、温調操作角度φの大きさが大きい程、スパウト６の吐水口６ａから吐出される湯水の温度を高温側に設定することができるようになっており、操作ハンドル４を中央の温調操作位置Ｐ０から水側の最大温調操作角度φ２に向かって回動操作している場合には、温調操作角度φの大きさが大きい程、スパウト６の吐水口６ａから吐出される湯水の温度を低温側に設定することができるようになっている。
【００２１】
また、図２に示すように、操作ハンドル４が温調操作時に水平方向に回動操作される操作領域Ｒは、湯水混合水栓装置２を正面前方から見て中央に位置する湯水混合操作領域Ｒ０と、図２に示す湯水混合操作領域Ｒ０の左側（湯側）に位置する湯側操作領域Ｒ１と、図２に示す湯水混合操作領域Ｒ０の右側（水側）に位置する水側操作領域Ｒ２とからなる。
湯水混合操作領域Ｒ０は、操作ハンドル４の温調操作角度φが０度ときの状態と、この状態から湯側と水側にそれぞれ左右対称に大きさが等しい所定の温調操作角度φ３，φ４（例えば、φ３＝φ４＝４０°）で回動操作した状態までの操作領域であり、湯水を湯水混合水栓装置２の吐水口６ａから混合湯水を吐水させる操作領域である。
また、湯側操作領域Ｒ１は、操作ハンドル４の温調操作角度φの大きさを湯側に所定の温調操作角度φ３の大きさよりも大きい操作角度に設定した状態から湯側の最大温調操作角度φ１まで回動操作させた状態までの操作領域であり、湯水を湯水混合水栓装置２の吐水口６ａから湯のみを吐水させる操作領域である。
さらに、水側操作領域Ｒ２は、操作ハンドル４の温調操作角度φの大きさを水側に所定の温調操作角度φ４の大きさよりも大きい操作角度に設定した状態から水側の最大温調操作角度φ２まで回動操作させた状態までの操作領域であり、湯水を湯水混合水栓装置２の吐水口６ａから水のみを吐水させる操作領域である。
【００２２】
つぎに、図１〜図８により、本発明の第１実施形態による湯水混合バルブ装置の詳細について説明する。
まず、図３は、本発明の第１実施形態による湯水混合バルブ装置を斜め後方から見た分解斜視図である。
図３に示すように、本実施形態による湯水混合バルブ装置１は、下方から上方に向って、下側ケーシング部材１０と、この下側ケーシング部材１０の外周に取り付けられるシール部材１２と、下側ケーシング部材１０内に上方から挿入して固定される固定弁体１４と、この固定弁体１４の上面に対して摺動可能に且つ回転可能に取り付けられる可動弁体１６とを備えている。
また、湯水混合バルブ装置１は、固定弁体１４の通湯路１４ａ及び通水路１４ｂと連通可能な可動弁体１６の連通路１６ａに取り付けられて連通路１６ａ内の湯水を整流化する網部材１８と、この網部材１８を介して可動弁体１６に取り付けられる可動弁体ガイド部材２０と、この可動弁体ガイド部材２０に取り付けられる保持部材２２とを備えている。
さらに、湯水混合バルブ装置１は、保持部材２２を介して下端部２４ａが可動弁体ガイド部材２０の上端部に接続される操作レバー部材２４と、この操作レバー部材２４に取り付けられるシール部材２６と、これらの部材１４〜２６を収容する上側ケーシング部材２８と、この上側ケーシング部材２８の上端部を貫くように延びる操作レバー部材２４の上端部２４ｂと操作ハンドル本体４ａとを接続する接続部材３０とを備えている。
【００２３】
つぎに、図４は、本発明の第１実施形態による湯水混合バルブ装置において、湯水混合水栓装置の操作ハンドルを中央の温調操作位置（湯水混合水栓装置の正面位置）に設定し且つ流調操作角度を０度に設定したときの全閉状態の可動弁体と固定弁体を示す平面図である。
図３及び図４に示すように、固定弁体１４の下方の下側ケーシング部材１０の底面には、湯水混合水栓装置２の外部の給湯源（図示せず）から供給される湯が通過する通湯路１０ａと、湯水混合水栓装置２の外部の給水源（図示せず）から供給される水が通過する通水路１０ｂとが上下方向に貫くようにそれぞれ形成されており、下側ケーシング部材１０の通湯路１０ａ及び通水路１０ｂのそれぞれは、固定弁体１４の通湯路１４ａ及び通水路１４ｂのそれぞれと互いに上下方向に対向するように配置されて連通している。
また、下側ケーシング部材１０の底面には、通湯路１０ａ及び通水路１０ｂに隣接して湯水混合路１０ｃが形成され、固定弁体１４には、通湯路１４ａ及び通水路１４ｂに隣接して湯水混合路１４ｃが形成されている。可動弁体１６が固定弁体１４の通湯路１４ａ及び通水路１４ｂの少なくとも一方を開放している状態（開弁状態）では、給湯源（図示せず）から下側ケーシング部材１０の通湯路１０ａを経て固定弁体１４の通湯路１４ａを通過した湯が可動弁体１６の連通路１６ａ内に流入すると共に、給水源（図示せず）から下側ケーシング部材１０の通水路１０ｂを経て固定弁体１４の通水路１４ｂを通過した水が可動弁体１６の連通路１６ａ内に流入すると、これらの湯と水とが可動弁体１６の連通路１６ａ内で混合された後、固定弁体１４の湯水混合路１４ｃを通過して下側ケーシング部材１０の湯水混合路１０ｃを流出し、この流出した混合湯水が湯水混合水栓装置２のスパウト６内の通水路を経て吐水口６ａから吐出されるようになっている。
【００２４】
つぎに、図３に示すように、可動弁体ガイド部材２０は、そのほぼ中央部から上方に突出する突出部２０ａを備え、この突出部２０ａは、保持部材２２のほぼ中央部に上下方向に貫くように形成された貫通穴２２ａに下側から挿入されている。また、可動弁体ガイド部材２０の突起部２０ａの内側には、操作レバー部材２４の下端部２４ａが挿入して嵌合される嵌合穴２０ｂが形成されている。
また、操作レバー部材２４は、図１及び図３に示すように、流調操作角度θが０度の状態（閉弁状態）のときは、操作レバー部材２４の長手方向の軸線Ａ４が湯水混合水栓装置本体２ａの上下方向に延びる中心軸線（操作軸線Ａ２）と一致して起立した状態となっている。そして、湯水混合水栓装置２の操作ハンドル４について流調操作角度を角度θだけ大きくするように操作軸線Ａ１回りに回動操作すると、操作レバー部材２４についても、起立した状態から、操作レバー部材２４の長手方向の軸線Ａ４が湯水混合水栓装置本体２ａの上下方向に延びる中心軸線（操作軸線Ａ２）に対して操作角度θで傾くような姿勢となるにようになっている。
さらに、図３に示すように、操作レバー部材２４が操作ハンドル４の操作により流調操作角度θだけ傾くと、操作レバー部材２４の下端部２４ａが可動弁体ガイド部材２０を突出部２０ａについて押圧力ｆで可動弁体１６を開弁する方向に押圧することにより、可動弁体ガイド部材２０が保持部材２２に対して移動するようになっている。そして、可動弁体ガイド部材２０に固定されている可動弁体１６が固定弁体１４に対して開弁する方向に移動（摺動）するようになっている。すなわち、操作レバー部材２４は、固定弁体１４の上面及びこの上面に沿って摺動する可動弁体１６の摺動面に対して垂直な平面内（鉛直平面内）で湯水混合水栓装置２の操作ハンドル４と共に所定の流調操作角度θの範囲で回動することにより、可動弁体１６を閉弁状態から開弁状態まで操作することができるようになっている。
なお、本実施形態では、操作レバー部材２４は、固定弁体１４の上面及びこの上面に沿って摺動する可動弁体１６の摺動面に対して垂直な平面内（鉛直平面内）で湯水混合水栓装置２の操作ハンドル４と共に所定の流調操作角度θの範囲で回動するような形態について説明するが、このような形態に限定されず、操作レバー部材２４を可動弁体１６の摺動面に対して交差する方向の平面内で回動させる形態であれば、操作レバー部材２４を可動弁体１６の摺動面に対して垂直な平面（鉛直平面）以外の平面内で回動させる形態であってもよい。
【００２５】
さらに、操作ハンドル４の流調操作角度θに関わらず、操作ハンドル４を操作軸線Ａ２回りに温調操作角度φだけ回転させると、操作レバー部材２４がその長手方向軸線Ａ４回りに回転し、この操作レバー部材２４の下端部２４ａが接続されている可動弁体ガイド部材２０が、可動弁体１６と共に固定弁体１４に対して水平な平面内で回転するようになっている。これにより、操作ハンドル４の温調操作角度φに応じて、固定弁体１４の通湯路１４ａ及び通水路１４ｂにおける可動弁体１６の連通路１６ａと連通する部分の流路断面積が変化し、可動弁体１６の連通路１６ａ内で混合された湯水の温度が調節されるようになっている。
例えば、可動弁体１６の連通路１６ａと連通している固定弁体１４の通湯路１４ａの開口断面積Ｓ１が大きく、可動弁体１６の連通路１６ａと連通している固定弁体１４の通水路１４ｂの開口断面積Ｓ２が小さい程、可動弁体１６の連通路１６ａ内で混合された湯水の温度は高温側に調節され、可動弁体１６の連通路１６ａと連通している固定弁体１４の通湯路１４ａの開口断面積Ｓ１が小さく、可動弁体１６の連通路１６ａと連通している固定弁体１４の通水路１４ｂの開口断面積Ｓ２が大きい程、可動弁体１６の連通路１６ａ内で混合された湯水の温度は低温側に調節されるようになっている。
【００２６】
また、図３に示すように、シール部材１２は、上側ケーシング部材２８が下側ケーシング部材１０に取り付けられた状態でこれらの部材１０，２８の内部と外部とを液密的にシールするようになっている。また、シール部材２６は、上側ケーシング部材２８のほぼ中央部に操作レバー部材２４の上端部２４ｂが挿入可能に形成された挿入穴２８ａと、操作レバー部材２４のボール状に形成された操作レバー部材２４の中間部２４ｃとの間に取り付けられ、上側ケーシング部材２８の内部と外部とを液密的にシールするようになっている。
【００２７】
つぎに、図４に示すように、可動弁体１６の連通路１６ａは、平面視において、可動弁体１６の中心Ｃ２よりも後方側の領域が後方に向かって先細り形状に形成され、可動弁体１６の中心Ｃ２よりも前方側の領域が、詳細は後述する流量絞り用の突起３２，３４以外の部分においてほぼ円弧形状に形成されている。
また、図４に示すように、可動弁体１６の連通路１６ａの内周面における前方部分には、平面視において、固定弁体１４の前後方向に延びる中心軸線Ａ５及び可動弁体の前後方向に延びる中心軸線Ａ６に対して左右対称に対をなす形成された二つの流量絞り用の突起３２，３４が設けられ、これらの突起３２，３４は、可動弁体１６の連通路１６ａを通過する湯水の流量を絞る流量絞り部として機能するようになっている。
さらに、図４に示すように、各突起３２，３４における各基端部Ｂ１，Ｂ２から各先端部Ｔ１，Ｔ２までのそれぞれの長さｈ１，ｈ２は、固定弁体１４の通湯路１４ａ及び通水路１４ｂのそれぞれの流路断面における最小の幅寸法（縦寸法）Ｈ１，Ｈ２よりも小さく設定されている。より厳密には、各突起３２，３４の長さｈ１，ｈ２は、可動弁体１６の開閉方向（可動弁体１６の中心軸線Ａ６の軸線方向）及び固定弁体１４の通湯路１４ａと通水路１４ｂとを区画する区画壁１４ｄにおける前後方向に延びる中心軸線Ａ７の軸線方向）における固定弁体１４の通湯路１４ａ及び通水路１４ｂのそれぞれの流路断面の最小の幅寸法（縦寸法）Ｈ１，Ｈ２よりも小さく設定されている。
【００２８】
また、図４に示すように、各突起３２，３４は、平面視において、ほぼ円弧形状に形成されており、各基端部Ｂ１，Ｂ２と各先端部Ｔ１，Ｔ２とを結ぶ直線に対して垂直な方向の最大幅寸法Ｗ１，Ｗ２が、固定弁体１４の通湯路１４ａと通水路１４ｂとの間の距離、すなわち、より厳密には、固定弁体１４の区画壁１４ｄの中心軸線Ａ７の軸線方向に対して垂直な方向の幅寸法ｗ１よりも大きく設定されている。
【００２９】
つぎに、図１〜図９を参照して、上述した本発明の第１実施形態による湯水混合バルブ装置１の動作（作用）について説明する。
まず、図１〜図７を参照して、湯水混合水栓装置２の操作ハンドル４について温調操作角度φが０度である中央の温調操作位置Ｐ０に設定し、流調操作角度θを０度から２５度までの範囲内で開閉操作した場合における本実施形態の湯水混合バルブ装置１の動作（作用）について説明する。
図５は、本発明の第１実施形態による湯水混合バルブ装置が組み込まれた湯水混合水栓装置の操作ハンドルの流調操作角度θと可動弁体の連通路と連通する固定弁体の通湯路及び通水路の開口面積ＳTとの関係について定性的に説明した線図であり、可動弁体の連通路に流量絞り用の突起が設けられていない場合の比較例と比較した図である。
ここで、図５においては、縦軸は、本実施形態の湯水混合バルブ装置１の可動弁体１６の連通路１６ａと連通する固定弁体１４の通湯路１４ａの開口面積Ｓ１と通水路１４ｂの開口面積Ｓ２とを加えた総開口面積ＳT（＝Ｓ１＋Ｓ２）［ｍｍ2］を示している。一方、図５の横軸は、湯水混合水栓装置２の操作ハンドル４の流調操作角度θ［ｄｅｇ］を示しており、本実施形態の湯水混合バルブ装置１の操作レバー部材２４の流調操作角度にも相当している。
【００３０】
また、図６は、本発明の第１実施形態による湯水混合バルブ装置が組み込まれた湯水混合水栓装置の操作ハンドルの流調操作角度θと流量Ｑとの関係について定性的に説明した線図であり、可動弁体の連通路に流量絞り用の突起が設けられていない場合の比較例と比較した図である。
ここで、図６においては、縦軸は、本実施形態の湯水混合バルブ装置１の可動弁体１６の連通路１６ａを通過する湯水の流量Ｑ［Ｌ／ｍｉｎ］を示しており、湯水混合水栓装置２のスパウト６の吐水口６ａから吐水される湯水の流量にも相当している。
一方、図６の横軸は、湯水混合水栓装置２の操作ハンドル４の流調操作角度θ［ｄｅｇ］を示しており、本実施形態の湯水混合バルブ装置１の操作レバー部材２４の流調操作角度にも相当している。
また、図６では、縦軸の流量Ｑが最大流量Ｑｍａｘの半分の流量ＱL（＝Ｑｍａｘ／２）［Ｌ／ｍｉｎ］（例えば、ＱL＝５．０［Ｌ／ｍｉｎ］）以下の領域（０≦Ｑ≦ＱL）を「低流量域」とし、流量Ｑが流量Ｑ０［Ｌ／ｍｉｎ］よりも大きく且つ最大流量Ｑｍａｘ［Ｌ／ｍｉｎ］（例えば、Ｑｍａｘ＝１０．０［Ｌ／ｍｉｎ］）以下の領域（ＱL≦Ｑ≦Ｑｍａｘ）を「高流量域」としている。
【００３１】
さらに、図７の（ａ）は、本発明の第１実施形態による湯水混合バルブ装置において、湯水混合水栓装置の操作ハンドルを中央の温調操作位置（湯水混合水栓装置の正面位置）に設定し且つ流調操作角度を１５度に設定して湯水を吐水している状態の可動弁体と固定弁体を示し平面図である。一方、図７の（ｂ）は、図７（ａ）に示す本発明の第１実施形態による湯水混合バルブ装置の可動弁体に対する比較例であり、可動弁体の連通路に流量絞り用の突起が設けられていない状態の可動弁体と固定弁体を示す平面図である。
【００３２】
図１〜図７に示すように、湯水混合水栓装置２の操作ハンドル４について温調操作角度φが０度である中央の温調操作位置Ｐ０に設定し、流調操作角度θを０度から２５度までの範囲内で開閉操作した場合において、まず、図５及び図６に示す流調操作角度θが０度から角度θ０までの流調操作範囲では、本実施形態の湯水混合バルブ装置１の可動弁体１６は、流調操作角度θが大きい程、固定弁体１４に対して前方に僅かな距離だけ摺動するものの、図５の開口面積ＳTは０となり、図６の流量Ｑも０となるため、固定弁体１４の通湯路１４ａ及び通水路１４ｂの双方が閉鎖された全閉状態（図４参照）が維持され、湯水混合水栓装置２も止水状態が維持される。一方、図５及び図６に示す比較例についても、同様な全閉状態が維持される。
【００３３】
また、図５及び図６に示すように、流調操作角度θが角度θ０を上回ると、可動弁体１６による固定弁体１４の通湯路１４ａ及び通水路１４ｂの開放が開始され、湯水混合水栓装置２の吐水口６ａから湯水の吐水が開始され、流調操作角度θが角度θ０以下では、固定弁体１４の通湯路１４ａ及び通水路１４ｂの双方が閉鎖された全閉状態が維持される。すなわち、流調操作角度θ０は、０度よりも大きく、この操作角度θ０を上回ると吐水が開始される操作角度であり、全閉状態が維持される操作角度の上限の操作角度を意味する。なお、本明細書中では、この流調操作角度θ０を「全閉状態操作角度θ０」と呼ぶ。
【００３４】
つぎに、図５及び図６に示すように、流調操作角度θが角度θ０（例えば、θ０＝５°）から角度θ２（例えば、θ２＝１５°）までの流調操作範囲（θ０＜θ≦θ２）では、流調操作角度θが全閉状態操作角度θ０を上回ると、吐水が開始され、その吐水の流量を低流量域内（図６参照）で調節することができるため、使用頻度が高い流調操作範囲である。この流調操作範囲（θ０＜θ≦θ２）では、本実施形態の湯水混合バルブ装置１の可動弁体１６が、流調操作角度θが大きい程、固定弁体１４に対してさらに前方に摺動することにより、固定弁体１４の通湯路１４ａ及び通水路１４ｂの双方が徐々に開放される。
また、この流調操作範囲（θ０＜θ≦θ２）では、図５に示すように、本実施形態の場合における流調操作角度θの増加に伴う総開口面積ＳTの増加量の変化率（以下「開口面積増加率ｋ１」）が、比較例の場合における流調操作角度θの増加に伴う総開口面積ＳTの増加量の変化率（以下「開口面積増加率Ｋ１」）よりも小さくなっており、本実施形態の場合における固定弁体１４の通湯路１４ａ及び通水路１４ｂのそれぞれの開口断面積Ｓ１，Ｓ２の総開口面積ＳTが、比較例の場合に比べて、小さな増加率で徐々に増加する。
【００３５】
さらに、図６に示すように、流調操作角度θを角度θ０から角度θ２まで設定したときの流調操作範囲（θ０＜θ≦θ２）では、本実施形態の場合の流量Ｑが０［Ｌ／ｍｉｎ］からＱ１［Ｌ／ｍｉｎ］（例えば、Ｑ１＝３．０［Ｌ／ｍｉｎ］）まで増加したときにおける可動弁体１６の連通路１６ａを通過する湯水の流量の増加量の変化率（以下「流量増加率ｍ１」）が、比較例の場合の流量Ｑが０［Ｌ／ｍｉｎ］からＱ２［Ｌ／ｍｉｎ］（例えば、Ｑ２＝８．０［Ｌ／ｍｉｎ］）まで増加したときにおける可動弁体１６の連通路１６ａを通過する湯水の流量の増加量の変化率（以下「流量増加率Ｍ１」）よりも小さくなっており、本実施形態の場合における固定弁体１４の通湯路１４ａ及び通水路１４ｂのそれぞれから可動弁体１６の連通路１６ａに流入する流量Ｑは、比較例の場合に比べて、小さな増加率で徐々に増加している。
なお、流調操作角度θ２（例えば、θ２＝１５°）は、角度θ０と角度θｍａｘ（例えば、θｍａｘ＝２５°）との中間値の流量操作角度であり、可動弁体１６が全開状態のときよりも小さい開度で中間開状態となる操作角度（本明細書中では「中間開状態操作角度θ２」と呼ぶ）である。ちなみに、本明細書中では、固定弁体１４の通湯路１４ａ及び通水路１４ｂの双方が全開状態で開放される操作角度については、「全開操作角度θｍａｘ」と呼ぶ。
【００３６】
さらに、図５及び図７の（ａ）に示すように、流調操作角度θが中間開状態操作角度θ２（例えば、θ２＝１５°）に設定されている状態では、可動弁体１６によって固定弁体１４の通湯路１４ａ及び通水路１４ｂの双方が互いに等しい開口断面積Ｓ１，Ｓ２で開口している。
また、これらの開口断面積Ｓ１，Ｓ２のそれぞれは、固定弁体１４の前後方向の中心軸線Ａ５に対して互いに左右方向に対称となっており、可動弁体１６の各突起３２，３４によって、図７の（ｂ）に示す比較例における固定弁体１４の通湯路１４ａ及び通水路１４ｂのそれぞれの開口断面積Ｓ３，Ｓ４よりも小さくなっている。
したがって、図６に示すように、本実施形態において固定弁体１４の通湯路１４ａ及び通水路１４ｂのそれぞれから可動弁体１６の連通路１６ａを通過する流量Ｑについても、比較例による可動弁体１６’の場合に比べて絞られている。
【００３７】
さらに、本実施形態では、図６及び図７の（ａ）に示すように、流調操作角度θが中間開状態操作角度θ２（例えば、θ２＝１５°）に設定されている状態では、可動弁体１６の両突起３２，３４による流量絞り効果によって、可動弁体１６の連通路１６ａを通過して固定弁体１４の湯水混合路１４ｃに流入する湯水の流量Ｑ１（例えば、Ｑ１＝３．０［Ｌ／ｍｉｎ］）が、最大流量Ｑｍａｘ（例えば、Ｑｍａｘ＝１０．０［Ｌ／ｍｉｎ］）対する半分の流量ＱL（＝Ｑｍａｘ／２）（例えば、Ｑｍａｘ／２＝５．０［Ｌ／ｍｉｎ］）未満の低流量域内に設定されている。
【００３８】
一方、図６に示すように、流調操作角度θを角度θ０から角度θ２まで設定したときの比較例では、流量Ｑが、０［Ｌ／ｍｉｎ］から、流量Ｑ１よりも大きい高流量域内の流量Ｑ２［Ｌ／ｍｉｎ］（例えば、Ｑ２＝８．０［Ｌ／ｍｉｎ］）まで増加しており、本実施形態の湯水混合バルブ装置１の流量増加率ｍ１よりも大きい流量増加率Ｍ１でほぼ比例的に増加している。特に、比較例では、流調操作角度θが角度θ０から、この角度θ０よりも大きく且つ角度θ２よりも小さい角度θ１（例えば、θ１＝１２°）までは、流量Ｑは低流量域内で増加しているが、角度θ１を上回ると、流量Ｑは高流量域内で流量Ｑ２まで増加している。
【００３９】
つぎに、図５に示すように、流調操作角度θが中間開状態操作角度θ２（例えば、θ２＝１５°）から中間開状態操作角度θ３（例えば、θ３＝２０°）までの流調操作範囲（θ２＜θ≦θ３）では、本実施形態の場合における流調操作角度θの増加に伴う総開口面積ＳTの増加量の変化率（以下「開口面積増加率ｋ２」）が、流調操作角度θが角度θ０から角度θ２（例えば、θ２＝１５°）までの流調操作範囲（θ０＜θ≦θ２）の開口面積増加率ｋ１よりも大きくなっている（ｋ２＞ｋ１）。すなわち、流調操作角度θが角度θ２から角度θ３までの流調操作範囲（θ２＜θ≦θ３）の総開口面積ＳTは、流調操作角度θが角度θ０から角度θ２までの流調操作範囲（θ０＜θ≦θ２）の総開口面積ＳTに比べて、大きな増加率で増加している。
【００４０】
また、図５に示すように、流調操作角度θが中間開状態操作角度θ３（例えば、θ３＝２０°）に設定されている状態では、本実施形態の場合の可動弁体１６によって固定弁体１４の通湯路１４ａ及び通水路１４ｂの双方が互いに等しい開口断面積Ｓ１，Ｓ２で開口し、総開口面積ＳT（＝Ｓ１＋Ｓ２）が、流調操作角度θが中間開状態操作角度θ２（例えば、θ２＝１５°）に設定されている状態よりも大きくなっているが、本実施形態の各開口断面積Ｓ１，Ｓ２は、比較例の場合の開口断面積Ｓ３，Ｓ４よりも小さくなっており、比較例による可動弁体１６’に比べて流量が絞られている。
【００４１】
さらに、図６に示すように、流調操作角度θが中間開状態操作角度θ２（例えば、θ２＝１５°）から中間開状態操作角度θ３（例えば、θ３＝２０°）までの流調操作範囲（θ２＜θ≦θ３）では、本実施形態の場合の流量ＱがＱ１［Ｌ／ｍｉｎ］（例えば、Ｑ１＝３．０［Ｌ／ｍｉｎ］）からＱ３［Ｌ／ｍｉｎ］（例えば、Ｑ３＝ＱL＝５．０［Ｌ／ｍｉｎ］）まで増加したときにおける可動弁体１６の連通路１６ａを通過する湯水の流量の増加量の変化率（以下「流量増加率ｍ２」）は、流調操作角度θが角度θ０から角度θ２（例えば、θ２＝１５°）までの流調操作範囲（θ０＜θ≦θ２）で流量Ｑが０［Ｌ／ｍｉｎ］からＱ１［Ｌ／ｍｉｎ］（例えば、Ｑ１＝３．０［Ｌ／ｍｉｎ］）まで増加したときにおける可動弁体１６の連通路１６ａを通過する湯水の流量増加率ｍ１に比べて大きくなる。
すなわち、流調操作角度θを中間開状態操作角度θ２から中間開状態操作角度θ３まで設定したときの流調操作範囲（θ２＜θ≦θ３）では、低流量域内で吐水が行われているときの流量増加率ｍ１よりも大きい流量増加率ｍ２で且つ低流量域内での湯水の吐水流量の調節が可能となっている。
【００４２】
つぎに、図５に示すように、流調操作角度θが中間開状態操作角度θ３（例えば、θ３＝２０°）から全開状態操作角度θｍａｘ（例えば、θｍａｘ＝２５°）までの流調操作範囲（θ３＜θ≦θｍａｘ）では、本実施形態の場合における流調操作角度θの増加に伴う総開口面積ＳTの増加量の変化率（以下「開口面積増加率ｋ３」）が、流調操作角度θが角度θ２（例えば、θ２＝１５°）から角度θ３（例えば、θ３＝２０°）までの流調操作範囲（θ２＜θ≦θ３）の開口面積増加率ｋ２よりも大きく且つほぼ一定となっている（ｋ３（＝一定）＞ｋ２）。
すなわち、流調操作角度θが中間開状態操作角度θ３から全開状態操作角度θｍａｘまでの流調操作範囲（θ３＜θ≦θｍａｘ）の総開口面積ＳTは、流調操作角度θが角度θ２から角度θ３までの流調操作範囲（θ２＜θ≦θ３）の総開口面積ＳTに比べて、大きな増加率でほぼ比例的に増加している。
【００４３】
また、図５に示すように、流調操作角度θが全開状態操作角度θｍａｘ（例えば、θｍａｘ＝２５°）に設定されている状態では、本実施形態の場合の可動弁体１６によって固定弁体１４の通湯路１４ａ及び通水路１４ｂの双方が互いに等しい開口断面積Ｓ１，Ｓ２で開口して総開口面積ＳT（＝Ｓ１＋Ｓ２）が、流調操作角度θが中間開状態操作角度θ３（例えば、θ２＝２０°）に設定されている状態よりも大きくなっている。また、本実施形態の場合の各開口断面積Ｓ１，Ｓ２は、比較例の場合の開口断面積Ｓ３，Ｓ４よりも突起３２，３４の部分だけ小さくなっており、比較例による可動弁体１６’に比べて流量が絞られている。
【００４４】
さらに、図６に示すように、流調操作角度θを中間開状態操作角度θ３から全開状態操作角度θｍａｘまで設定したときの流調操作範囲（θ３＜θ≦θｍａｘ）では、本実施形態の場合の流量ＱがＱ３［Ｌ／ｍｉｎ］（例えば、Ｑ３＝ＱL＝５．０［Ｌ／ｍｉｎ］）からＱｍａｘ［Ｌ／ｍｉｎ］（例えば、Ｑｍａｘ＝１０．０［Ｌ／ｍｉｎ］）まで増加したときにおける可動弁体１６の連通路１６ａを通過する湯水の流量の増加量の変化率（以下「流量増加率ｍ３」）は、流調操作角度θが角度θ０から角度θ２（例えば、θ２＝１５°）までの流調操作範囲（θ０＜θ≦θ２）における可動弁体１６の連通路１６ａを通過する湯水の流量増加率ｍ１や、流調操作角度θが角度θ２（例えば、θ２＝１５°）から角度θ３（例えば、θ３＝２０°）までの流調操作範囲（θ２＜θ≦θ３）における可動弁体１６の連通路１６ａを通過する湯水の流量増加率ｍ２に比べて大きくなる。
すなわち、流調操作角度θを中間開状態操作角度θ３から全開状態操作角度θｍａｘまで設定したときの流調操作範囲（θ３＜θ≦θｍａｘ）では、低流量域内で吐水が行われているときの流量増加率ｍ１，ｍ２よりも大きい流量増加率ｍ３で且つ高流量域内での湯水の吐水流量の調節が可能となっている。
【００４５】
つぎに、図５、図６及び図８を参照して、湯水混合水栓装置２の操作ハンドル４について、温調操作角度φを湯側の最大温調操作角度φ１（例えば、φ１＝５０°）に設定して最も湯側の温調操作位置Ｐ１に設定し、流調操作角度θを０度から２５度までの範囲内で開閉操作した場合における本実施形態の湯水混合バルブ装置１の動作（作用）について説明する。
図８の（ａ）は、本発明の第１実施形態による湯水混合バルブ装置において、湯水混合水栓装置の操作ハンドルを最も湯側の温調操作位置に設定し且つ流調操作角度を１５度に設定して湯のみを吐水している状態の可動弁体と固定弁体を示す平面図である。また、図８の（ｂ）は、図８の（ａ）に示す本発明の第１実施形態による湯水混合バルブ装置の可動弁体に対する比較例であり、可動弁体の連通路に流量絞り用の突起が設けられていない状態の可動弁体と固定弁体を示す平面図である。
【００４６】
図５、図６及び図８に示すように、湯水混合水栓装置２の操作ハンドル４について、温調操作角度φを湯側の最大温調操作角度φ１に設定して湯側の温調操作位置Ｐ１に設定した場合、可動弁体１６が開閉する方向（可動弁体１６の中心軸線Ａ６の軸線方向）が、平面視において、固定弁体１４の前後方向の中心軸線Ａ５に対して所定の温調操作角度φ１だけ傾いていることにより、固定弁体１４の通湯路１４ａのみが可動弁体１６によって開閉される点以外の点ついては、上述した湯水混合水栓装置２の操作ハンドル４について温調操作角度φが０度である中央の温調操作位置Ｐ０に設定した場合の動作（作用）と共通している。
【００４７】
また、図５及び図６に示すように、可動弁体１６が閉弁状態であるときの全閉状態操作角度θ０から中間開状態操作角度θ３までの流調操作角度θの範囲（θ０≦θ≦θ３）は、中間開状態操作角度θ３から全開状態操作角度θｍａｘまでの流調操作角度θの範囲（θ３＜θ≦θｍａｘ）よりも大きく設定される。また、全閉状態操作角度θ０から中間開状態操作角度θ３まで操作したときに流調操作角度θの増加に伴って、固定弁体１４の通湯路１４ａから可動弁体１６の連通路１６ａを通過する湯の流量増加率ｍ１，ｍ２が、中間開状態操作角度θ３から全開状態操作角度θｍａｘまで操作したときに流調操作角度θの増加に伴って、固定弁体１４の通湯路１４ａから可動弁体１６の連通路１６ａを通過する湯の流量増加量の変化率である流量増加率ｍ３よりも小さく設定される。
これらにより、湯水混合水栓装置２の低流量域（Ｑ≦ＱL）内の湯のみの吐水が要求されている場合には、湯水混合水栓装置２の操作ハンドル４及び湯水混合バルブ装置１の操作レバー部材２４を全閉状態操作角度θ０から中間開状態操作角度θ３までの大きな操作範囲（θ０≦θ≦θ３）で流調操作することにより、固定弁体１４の通湯路１４ａから可動弁体１６の連通路１６ａを通過した湯のみが湯水混合水栓装置２の吐水口６ａから低流量域（Ｑ≦ＱL）内の流量で吐水される。
一方、湯水混合水栓装置２の高流量域（ＱL＜Ｑ≦Ｑｍａｘ）内の湯のみの吐水が要求されている場合には、中間開状態操作角度θ３から全開状態操作角度θｍａｘまでの小さい操作範囲（θ３＜θ≦θｍａｘ）で湯水混合水栓装置２の操作ハンドル４及び湯水混合バルブ装置１の操作レバー部材２４を流調操作することにより、固定弁体１４の通湯路１４ａから可動弁体１６の連通路１６ａを通過した湯のみが湯水混合水栓装置２の吐水口６ａから高流量域（ＱL＜Ｑ≦Ｑｍａｘ）内の流量で吐水される。
【００４８】
また、代表的な例で説明するが、図８の（ａ）に示すように、流調操作角度θを中間開状態操作角度θ２（例えば、θ２＝１５°）に設定し、可動弁体１６によって開放されている状態の固定弁体１４の通湯路１４ａの開口断面積Ｓ１は、各突起３２，３４が設けられていない図８の（ｂ）に示す比較例の可動弁体１６’によって開放される通湯路１４ａの開口断面積Ｓ３よりも狭められている。
【００４９】
同様に、図５、図６及び図９を参照して、湯水混合水栓装置２の操作ハンドル４について、温調操作角度φを水側の最大温調操作角度φ２（例えば、φ２＝５０°）に設定して水側の温調操作位置Ｐ２に設定し、流調操作角度θを０度から２５度までの範囲内で開閉操作した場合における本実施形態の湯水混合バルブ装置１の動作（作用）について説明する。
図９の（ａ）は、本発明の第１実施形態による湯水混合バルブ装置において、湯水混合水栓装置の操作ハンドルを最も水側の温調操作位置に設定し且つ流調操作角度を１５度に設定して水のみを吐水している状態の可動弁体と固定弁体を示す平面図であり、図９の（ｂ）は、図９の（ａ）に示す本発明の第１実施形態による湯水混合バルブ装置の可動弁体に対する比較例であり、可動弁体の連通路に流量絞り用の突起が設けられていない状態の可動弁体と固定弁体を示す平面図である。
図５、図６及び図９に示すように、湯水混合水栓装置２の操作ハンドル４について、温調操作角度φを水側の最大温調操作角度φ２に設定して水側の温調操作位置Ｐ２に設定した場合、可動弁体１６が開閉する方向（可動弁体１６の中心軸線Ａ６の軸線方向）が、平面視において、固定弁体１４の前後方向の中心軸線Ａ５に対して所定の温調操作角度φ２だけ傾いていることにより、固定弁体１４の通水路１４ｂのみが可動弁体１６によって開閉される点以外の点ついては、上述した湯水混合水栓装置２の操作ハンドル４について温調操作角度φが０度である温調操作位置Ｐ０に設定した場合の動作（作用）と共通している。
【００５０】
すなわち、図５及び図６に示すように、全閉状態操作角度θ０から中間開状態操作角度θ３までにおける湯水混合水栓装置２の操作ハンドル４及び湯水混合バルブ装置１の操作レバー部材２４の流調操作角度θの範囲（θ０≦θ≦θ３）が、中間開状態操作角度θ３から全開状態操作角度θｍａｘまでの流調操作角度θの範囲（θ３＜θ≦θｍａｘ）よりも大きく設定される。
【００５１】
また、全閉状態操作角度θ０から中間開状態操作角度θ３まで操作したときに流調操作角度θの増加に伴って、固定弁体１４の通水路１４ｂから可動弁体１６の連通路１６ａを通過する水の流量増加量の変化率である流量増加率ｍ１，ｍ２が、中間開状態操作角度θ３から全開状態操作角度θｍａｘまで操作したときに流調操作角度θの増加に伴って、固定弁体１４の通水路１４ｂから可動弁体１６の連通路１６ａを通過する水の流量増加量の変化率である流量増加率ｍ３よりも小さく設定される。
これらにより、湯水混合水栓装置２の低流量域（Ｑ≦ＱL）内の水のみの吐水が要求されている場合には、湯水混合水栓装置２の操作ハンドル４及び湯水混合バルブ装置１の操作レバー部材２４を全閉状態操作角度θ０から中間開状態操作角度θ３までの大きな操作範囲（θ０≦θ≦θ３）で流調操作することにより、固定弁体１４の通水路１４ｂから可動弁体１６の連通路１６ａを通過した水のみが湯水混合水栓装置２の吐水口６ａから低流量域（Ｑ≦ＱL）内の流量で吐水される。
【００５２】
一方、湯水混合水栓装置２の高流量域（ＱL＜Ｑ≦Ｑｍａｘ）内の水のみの吐水が要求されている場合には、中間開状態操作角度θ３から全開状態操作角度θｍａｘまでの小さい操作範囲（θ３＜θ≦θｍａｘ）で湯水混合水栓装置２の操作ハンドル４及び湯水混合バルブ装置１の操作レバー部材２４を流調操作することにより、固定弁体１４の通水路１４ｂから可動弁体１６の連通路１６ａを通過した水のみが湯水混合水栓装置２の吐水口６ａから高流量域（ＱL＜Ｑ≦Ｑｍａｘ）内の流量で吐水される。
【００５３】
また、代表的な例で説明するが、図９の（ａ）に示すように、流調操作角度θを中間開状態操作角度θ２（例えば、θ２＝１５°）に設定し、可動弁体１６によって開放されている状態の固定弁体１４の通水路１４ｂの開口断面積Ｓ２は、各突起３２，３４が設けられていない図９の（ｂ）に示す比較例の可動弁体１６’によって開放される通水路１４ｂの開口断面積Ｓ４よりも狭められている。
【００５４】
上述した本発明の第１実施形態による湯水混合バルブ装置１によれば、湯水混合水栓装置２の吐水口６ａから吐水される湯水の流量を調節する際、湯水混合水栓装置６の操作ハンドル４の操作によって操作レバー部材２４を可動弁体１６の摺動面に対して垂直な平面内で、全閉状態操作角度θ０から全開状態操作角度θｍａｘまでの範囲内で回動させることにより、可動弁体１６を閉弁状態から最大流量Ｑｍａｘの湯水を通過させる開弁状態まで固定弁体１４に対して摺動させて操作することができる。
また、可動弁体１６の連通路１６ａが流量絞り用の突起３２，３４を備えていることにより、湯水混合水栓装置２の操作ハンドル４及び湯水混合バルブ装置１の操作レバー部材２４が、全閉状態操作角度θ０と全開状態操作角度θmａｘとのほぼ中間の操作角度である中間開状態操作角度θ２に設定されているときに可動弁体１６の連通路１６ａを通過する湯水の流量Ｑ１が最大流量Ｑｍａｘの半分未満の低流量域（Ｑ≦ＱL）内に設定されるため、特に、湯水混合水栓装置２の操作ハンドル４及び湯水混合バルブ装置１の操作レバー部材２４を少なくとも全閉状態操作角度θ０から中間開状態操作角度θ２まで設定している使用頻度が高い操作範囲では、湯水混合水栓装置２から吐水が開始されてから低流量域（Ｑ≦ＱL）内で吐水を行うことができる。したがって、湯水混合水栓装置２の操作ハンドル４及び湯水混合バルブ装置１の操作レバー部材２４の操作範囲全体（０≦θ≦θｍａｘ）のうち、使用頻度が高く且つ低流量域（Ｑ≦ＱL）内の吐水が可能な操作範囲（θ０＜θ≦θ３）を大きく確保することができるため、流量調節をし易くすることができる。
【００５５】
また、本実施形態による湯水混合バルブ装置１によれば、可動弁体１６が閉弁状態であるときの全閉状態操作角度θ０から、この全閉状態操作角度θ０と全開状態操作角度θｍａｘとの中間値となる中間開状態操作角度θ２よりも大きい中間開状態操作角度θ３までの湯水混合水栓装置２の操作ハンドル４及び湯水混合バルブ装置１の操作レバー部材２４の流調操作角度θの範囲（θ０≦θ≦θ３）が、中間開状態操作角度θ３から全開状態操作角度θｍａｘまでの流調操作角度θの範囲（θ３＜θ≦θｍａｘ）よりも大きく設定されると共に、全閉状態操作角度θ０から中間開状態操作角度θ３まで操作したときに流調操作角度θの増加に伴って可動弁体１６の連通路１６ａを通過する湯水の流量増加量の変化率である流量増加率ｍ１，ｍ２が、中間開状態操作角度θ３から全開状態操作角度θｍａｘまで操作したときに流調操作角度θの増加に伴って可動弁体１６の連通路１６ａを通過する湯水の流量増加量の変化率である流量増加率ｍ３よりも小さく設定されている。これにより、湯水混合水栓装置２の操作ハンドル４及び湯水混合バルブ装置１の操作レバー部材２４の操作範囲全体（０≦θ≦θｍａｘ）のうち、全閉状態操作角度θ０から中間開状態操作角度θ３までの大半の操作範囲（θ０≦θ≦θ３）を、低流量域（Ｑ≦ＱL）内の吐水を実現する操作範囲として割り当てることができると共に、第２の中間開状態操作角度から全開状態操作角度までの比較的小さい操作範囲を、高流量域（ＱL＜Ｑ≦Ｑｍａｘ）内の吐水を実現する操作範囲として割り当てることができる。
したがって、湯水混合水栓装置２の低流量域（Ｑ≦ＱL）内の吐水が要求されている場合には、湯水混合水栓装置２の操作ハンドル４及び湯水混合バルブ装置１の操作レバー部材２４を全閉状態操作角度θ０から中間開状態操作角度θ３までの大きな操作範囲（θ０≦θ≦θ３）で流調操作することにより、湯水混合水栓装置２から吐水が開始されてから低流量域（Ｑ≦ＱL）内で吐水を行うことができるため、可動弁体１６の連通路１６ａを通過する湯水を、流量増加率ｍ３よりも小さい流量増加率ｍ１，ｍ２で細やかに流量調節を行うことができる。
一方、湯水混合水栓装置２の高流量域（ＱL＜Ｑ≦Ｑｍａｘ）内の吐水が要求されている場合には、中間開状態操作角度θ３から全開状態操作角度θｍａｘまでの小さい操作範囲（θ３＜θ≦θｍａｘ）で湯水混合水栓装置２の操作ハンドル４及び湯水混合バルブ装置１の操作レバー部材２４を流調操作することにより、可動弁体１６の連通路１６ａを通過する湯水を、流量増加率ｍ１，ｍ２よりも大きい流量増加率ｍ３で迅速に流量調節を行い、高流量域（ＱL＜Ｑ≦Ｑｍａｘ）内で吐水を行うことができ、使用者に対して高い操作性を実現することができる。
【００５６】
なお、湯水混合水栓装置２の操作ハンドル４及び湯水混合バルブ装置１の操作レバー部材２４の操作範囲全体（０≦θ≦θｍａｘ）のうち、低流量域（Ｑ≦ＱL）の吐水を実現する操作範囲（θ０≦θ≦θ３）の上限値である中間開状態操作角度θ３は、全体状態操作角度θｍａｘが２５度に設定した場合（θｍａｘ＝２５°）、可能な限り２５°に近づけるのが好ましい。
【００５７】
さらに、本実施形態による湯水混合バルブ装置１によれば、可動弁体１６の連通路１６ａに流量絞り用の突起３２，３４が形成されており、各突起３２，３４における各基端部Ｂ１，Ｂ２から各先端部Ｔ１，Ｔ２までのそれぞれの長さｈ１，ｈ２（図４参照）が、固定弁体１４の通湯路１４ａ及び通水路１４ｂのそれぞれの流路断面における最小の幅寸法（縦寸法）Ｈ１，Ｈ２、より厳密には、可動弁体１６の開閉方向（可動弁体１６の中心軸線Ａ６の軸線方向）及び固定弁体１４の通湯路１４ａと通水路１４ｂとの区画壁１４ｄの中心軸線Ａ７の軸線方向）における固定弁体１４の通湯路１４ａ及び通水路１４ｂのそれぞれの流路断面の最小の幅寸法（縦寸法）Ｈ１，Ｈ２よりも小さく設定されているため、湯水混合水栓装置２の操作ハンドル４及び湯水混合バルブ装置１の操作レバー部材２４を少なくとも全閉状態操作角度θ０から中間開状態操作角度θ３まで設定している使用頻度が高い操作範囲（θ０≦θ≦θ３）では、可動弁体１６によって開放される固定弁体１４の通湯路１４ａ及び通水路１４ｂの各開口面積Ｓ１，Ｓ２を各突起３２，３４によって適度に狭めることができる。したがって、湯水混合水栓装置２から吐水が開始されてから低流量域（Ｑ≦ＱL）内で吐水を効果的に行うことができ、流量調節をし易くすることができる。
一方、湯水混合水栓装置２の操作ハンドル４及び湯水混合バルブ装置１の操作レバー部材２４を中間開状態操作角度θ３から全開状態操作角度θｍａｘまで設定している使用頻度が低い操作範囲（θ３＜θ≦θｍａｘ）では、固定弁体１４の通湯路１４ａ及び通水路１４ｂの少なくとも一方から可動弁体１６の連通路１６ａに流入した湯水が、各突起３２，３４の周囲を通過しやくなるため、高流量域（ＱL＜Ｑ≦Ｑｍａｘ）内で吐水を行うことができ、使用者に対して高い操作性を実現することができる。
【００５８】
また、本実施形態による湯水混合バルブ装置１によれば、可動弁体１６の各突起３２，３４が平面視においてほぼ円弧形状に形成されていることにより、特に、湯水混合水栓装置２の操作ハンドル４及び湯水混合バルブ装置１の操作レバー部材２４の操作により低流量域（Ｑ≦ＱL）内の吐水状態から高流量域（ＱL＜Ｑ≦Ｑｍａｘ）内の吐水状態に切り替える流量調節を行う際に、流調操作角度θの切り替えの前後で、流調操作角度θの増加に伴って可動弁体１６の連通路１６ａを通過する湯水の流量増加率ｍ１，ｍ２，ｍ３を非線形的に変化させることができるため、吐水流量をより滑らかに変化させて細やかな流量調節を行うことができる。
【００５９】
さらに、本実施形態による湯水混合バルブ装置１によれば、可動弁体１６の各突起３２，３４において、各基端部Ｂ１，Ｂ２と各先端部Ｔ１，Ｔ２とを結ぶ直線に対して垂直な方向の最大幅寸法Ｗ１，Ｗ２（図４参照）が、固定弁体１４の通湯路１４ａと通水路１４ｂとの間の距離、すなわち、より厳密には、固定弁体１４の通湯路１４ａと通水路１４ｂとの区画壁１４ｄの中心軸線Ａ７に対して垂直な方向の幅寸法ｗ１（図４参照）よりも大きく設定されている。したがって、湯水混合水栓装置２の操作ハンドル４及び湯水混合バルブ装置１の操作レバー部材２４の操作角度θ，φに応じて可動弁体１６の連通路１６ａの突起３２又は突起３４が固定弁体１４の通湯路１４ａと通水路１４ｂとの間に跨って配置される状態のときには、この突起３２又は突起３４が固定弁体１４の通湯路１４ａと通水路１４ｂのそれぞれの流路断面を部分的に確実に狭めることができる。したがって、固定弁体１４の通湯路１４ａと通水路１４ｂのそれぞれから可動弁体１６の連通路１６ａに流入する湯水に対して効果的に流量を絞ることができる。
【００６０】
つぎに、図１０〜図１４を参照して、本発明の第２実施形態による湯水混合バルブ装置について説明する。
図１０は、本発明の第２実施形態による湯水混合バルブ装置が組み込まれた湯水混合水栓装置の概略平面図であり、混合湯水を吐水させる湯水混合操作領域、湯のみを吐水させる湯側操作領域、及び水のみを吐水させる水側操作領域を概略的に説明した図である。また、図１１は、本発明の第２実施形態による湯水混合バルブ装置において、湯水混合水栓装置の操作ハンドルを中央の温調操作位置（湯水混合水栓装置の正面位置）に設定し且つ流調操作角度を０度に設定したときの全閉状態及び全開状態の可動弁体と固定弁体を示す平面図である。ここで、図１１に示す可動弁体１１６においては、全閉状態の可動弁体１１６を実線及び符号「Ｃ」で示し、全開状態の可動弁体１１６を鎖線及び符号「Ｏ」で示している。
【００６１】
まず、図１０及び図１１に示すように、本発明の第２実施形態による湯水混合バルブ装置１００においては、その固定弁体１１４と可動弁体１１６の構造のみが、上述した本発明の第１実施形態による湯水混合バルブ装置１の固定弁体１４と可動弁体１６の構造と異なっており、操作ハンドル４の温調操作角度φを０度に設定し、操作ハンドル４を中央の温調操作位置Ｐ０に設定した状態で、流調操作角度θを操作することにより可動弁体１１６を開弁させると、湯水混合水栓装置２のスパウト６の吐水口６ａから水のみが吐水されるようになっている点で、本発明の第実施形態による湯水混合バルブ装置１と異なっている。
したがって、本発明の第２実施形態による湯水混合バルブ装置１００、及び、この湯水混合バルブ装置１００が組み込まれた湯水混合水栓装置２においては、上述した本発明の第１実施形態による湯水混合バルブ装置１、及び、この湯水混合バルブ装置１が組み込まれた湯水混合水栓装置２と同一部分については同一の符号を付し、これらの説明は省略し、異なる部分のみについて説明する。
【００６２】
図１０に示すように、湯水混合操作領域Ｒ１００は、操作ハンドル４の温調操作角度φを０度から湯側（図１０の「Ｈ側」）に温調操作角度φ１０４だけ回動操作した状態から、温調操作角度φを湯側（図１０の「Ｈ側」）に温調操作角度φ３まで回動操作した状態までの操作可能な領域である。
また、水側操作領域Ｒ１０２は、操作ハンドル４を温調操作角度φ１０４から水側（図１０の「Ｃ側」）に温調操作角度φ２まで回動操作した状態まで操作可能な領域である。特に、水側操作領域Ｒ１０２内において、操作ハンドル４を温調操作角度φが０度である中央の温調操作位置Ｐ０に設定したときには、湯水混合水栓装置２の吐水口６ａから水のみが吐水される点が、上述した第１実施形態と異なっている。
【００６３】
また、図１１に示すように、本発明の第２実施形態による湯水混合バルブ装置１００においては、固定弁体１１４の区画壁１４ｄにおける中心軸線Ａ１０７が固定弁体１１４の前後方向に延びる中心軸線Ａ１０５に対して所定角度α［°］だけ傾いた状態で設けられている。
さらに、図１１に示す可動弁体１１６のほぼ中央部に形成された連通路１１６ａの平面視において、可動弁体１１６の中心軸線Ａ１０６に対して固定弁体１１４の通湯路１１４ａ側（図１１の中心軸線Ａ１０６よりも左側）に形成され且つ可動弁体１１６のほぼ中心Ｃ１０２よりも前側に位置する領域の内壁部は、連通路１１６ａの内側に向かって突出する突状部１１６ｂを形成している。このような突状部１１６ｂの構造において、図１０に示す操作ハンドル４の温調操作角度φを０度に設定し、操作ハンドル４を中央の温調操作位置Ｐ０に設定した状態で、流調操作角度θを操作し、可動弁体１１６を図１１の前方に移動させて可動弁体１１６が図１１に実線で示す全閉状態Ｃから図１１に鎖線で示す全開状態Ｏとなっても、固定弁体１１４の通湯路１１４ａのみが、図１１に鎖線で示す可動弁体１１６の突状部１１６ｂにより閉鎖され、固定弁体１１４の通水路１１４ｂ及び湯水混合路１１４ｃが開放されるようになっている。これにより、湯水混合水栓装置２のスパウト６の吐水口６ａから水のみが吐水されるようになっている。
【００６４】
さらに、図１１に示すように、本発明の第２実施形態による湯水混合バルブ装置１００においては、可動弁体１１６の連通路１１６ａの内周面における前方部分には、単一の流量絞り用の突起１３２が設けられ、この突起１３２は、可動弁体１６の連通路１６ａを通過する湯水の流量を絞る流量絞り部として機能するようになっている。
また、可動弁体１１６の連通路１１６ａの突起１３２においては、その基端部Ｂ１０１から先端部Ｔ１０１までの長さｈ１０１が、突状部１１６ｂの前後方向の幅寸法Ｈ１００よりも小さく設定されている。さらに、突起１３２の長さｈ１０１は、固定弁体１１４の通湯路１１４ａ及び通水路１１４ｂのそれぞれの流路断面における最小の幅寸法（縦寸法）Ｈ１０１，Ｈ１０２、より厳密には、固定弁体１１４の通湯路１１４ａと通水路１１４ｂとの区画壁１１４ｄの中心軸線Ａ１０７の軸線方向における固定弁体１４の通湯路１４ａ及び通水路１４ｂのそれぞれの流路断面の最小の幅寸法（縦寸法）Ｈ１０１，Ｈ１０２よりも小さく設定されている。
【００６５】
さらに、図１１に示すように、突起１３２は、平面視において、ほぼ円弧形状に形成されており、その基端部Ｂ１０１と先端部Ｔ１０１とを結ぶ直線に対して垂直な方向の最大幅寸法Ｗ１０１が、固定弁体１１４の通湯路１１４ａと通水路１１４ｂとの間の距離、すなわち、より厳密には、固定弁体１１４の区画壁１１４ｄの中心軸線Ａ１０７の軸線方向に対して垂直な方向の幅寸法ｗ１０１よりも大きく設定されている。
これらの固定弁体１１４及び可動弁体１１６における各部寸法の設定により、図１０に示す操作ハンドル４の温調操作角度φを０度に設定した状態で流調操作角度θを操作して可動弁体１１６が図１１に鎖線で示す全開状態Ｏとなっても、固定弁体１１４の通湯路１１４ａのみが、図１１に鎖線で示す可動弁体１１６の突状部１１６ｂにより閉鎖され、通水路１１４ｂ及び湯水混合路１１４ｃが開放され、湯水混合水栓装置２のスパウト６の吐水口６ａから水のみが吐水されるようになっている。
【００６６】
つぎに、図５、図６、図１０〜図１４を参照して、上述した本発明の第２実施形態による湯水混合バルブ装置１の動作（作用）について説明する。
図１２の（ａ）は、本発明の第２実施形態による湯水混合バルブ装置において、湯水混合水栓装置の操作ハンドルを中央の温調操作位置（湯水混合水栓装置の正面位置）に設定し且つ流調操作角度を１５度に設定して水のみを吐水している状態の可動弁体と固定弁体を示す平面図であり、図１２の（ｂ）は、図１２の（ａ）に示す本発明の第２実施形態による湯水混合バルブ装置の可動弁体に対する比較例であり、可動弁体の連通路に流量絞り用の突起が設けられていない状態の可動弁体と固定弁体を示す平面図である。
また、図１３の（ａ）は、本発明の第２実施形態による湯水混合バルブ装置において、湯水混合水栓装置の操作ハンドルを最も湯側の温調操作位置に設定し且つ流調操作角度を１５度に設定して湯のみを吐水している状態の可動弁体と固定弁体を示す平面図であり、図１３の（ｂ）は、図１３の（ａ）に示す本発明の第２実施形態による湯水混合バルブ装置の可動弁体に対する比較例であり、可動弁体の連通路に流量絞り用の突起が設けられていない状態の可動弁体と固定弁体を示す平面図である。
さらに、図１４の（ａ）は、本発明の第２実施形態による湯水混合バルブ装置において、湯水混合水栓装置の操作ハンドルを最も水側の温調操作位置に設定し且つ流調操作角度を１５度に設定して水のみを吐水している状態の可動弁体と固定弁体を示す平面図であり、図１４の（ｂ）は、図１４（ａ）に示す本発明の第２実施形態による湯水混合バルブ装置の可動弁体に対する比較例であり、可動弁体の連通路に流量絞り用の突起が設けられていない状態の可動弁体と固定弁体を示す平面図である。
【００６７】
なお、本発明の第２実施形態による湯水混合バルブ装置１００の動作（作用）については、湯水混合水栓装置２の操作ハンドル４の流調操作角度θと、可動弁体１１６の連通路１１６ａと連通する固定弁体１１４の通湯路１１４ａ及び通水路１１４ｂの開口面積Ｓ（＝Ｓ１０１＋Ｓ１０２）との関係が、上述した本発明の第１実施形態による湯水混合バルブ装置１の動作（作用）において図５に示した関係と定性的に一致している。また、本発明の第２実施形態による湯水混合バルブ装置１００における、湯水混合水栓装置２の操作ハンドル４の流調操作角度θと流量Ｑとの関係についても、上述した本発明の第１実施形態による湯水混合バルブ装置１の動作（作用）において図６に示した関係と定性的に一致している。したがって、本発明の第２実施形態による湯水混合バルブ装置１００の動作（作用）の説明では、図５及び図６に相当する線図については省略し、流調操作角度θと固定弁体１１４の通湯路１１４ａ及び通水路１１４ｂの各開口面積Ｓ１０１，Ｓ１０２との関係や、流調操作角度θと流量Ｑとの関係を説明する場合には、適宜、図５や図６を用いて説明する。
【００６８】
まず、図５、図６及び図１０〜図１２に示すように、湯水混合水栓装置２の操作ハンドル４について、温調操作角度φが０度である中央の温調操作位置Ｐ０に設定し、流調操作角度θを０度から２５度までの範囲内で開閉操作した場合、湯水混合水栓装置２の操作ハンドル４及び湯水混合バルブ装置１の操作レバー部材２４の流調操作角度θの範囲（θ０≦θ≦θ３）が、中間開状態操作角度θ３から全開状態操作角度θｍａｘまでの流調操作角度θの範囲（θ３＜θ≦θｍａｘ）よりも大きく設定される。また、全閉状態操作角度θ０から中間開状態操作角度θ３まで操作したときに流調操作角度θの増加に伴って、固定弁体１１４の通水路１１４ｂから可動弁体１１６の連通路１１６ａを通過する水の流量増加量の変化率である流量増加率ｍ１，ｍ２が、中間開状態操作角度θ３から全開状態操作角度θｍａｘまで操作したときに流調操作角度θの増加に伴って、固定弁体１１４の通水路１１４ｂから可動弁体１１６の連通路１１６ａを通過する水の流量増加量の変化率である流量増加率ｍ３よりも小さく設定される。
【００６９】
これらにより、湯水混合水栓装置２の低流量域内の水のみの吐水が要求されている場合には、湯水混合水栓装置２の操作ハンドル４及び湯水混合バルブ装置１の操作レバー部材２４を全閉状態操作角度θ０から中間開状態操作角度θ３までの大きな操作範囲（θ０≦θ≦θ３）で流調操作することにより、固定弁体１１４の通水路１１４ｂから可動弁体１１６の連通路１１６ａを通過した水のみを湯水混合水栓装置２の吐水口６ａから低流量域（Ｑ≦ＱL）内で吐水することができる。
一方、湯水混合水栓装置２の高流量内の水のみの吐水が要求されている場合には、中間開状態操作角度θ３から全開状態操作角度θｍａｘまでの小さい操作範囲（θ３＜θ≦θｍａｘ）で湯水混合水栓装置２の操作ハンドル４及び湯水混合バルブ装置１の操作レバー部材２４を流調操作することにより、固定弁体１１４の通水路１１４ｂから可動弁体１１６の連通路１１６ａを通過した水のみが湯水混合水栓装置２の吐水口６ａから高流量域（ＱL＜Ｑ≦Ｑｍａｘ）内で吐水することができる。
【００７０】
また、代表的な例で説明するが、図１２の（ａ）に示すように、流調操作角度θを中間開状態操作角度θ２（例えば、θ２＝１５°）に設定し、可動弁体１１６によって開放されている状態の固定弁体１１４の通水路１１４ｂの開口断面積Ｓ１０２は、突起１３２が設けられていない図１２の（ｂ）に示す比較例の可動弁体１１６’によって開放される固定弁体１１４の通水路１１４ｂの開口断面積Ｓ１０４よりも狭められている。
【００７１】
同様に、図５、図６、図１０、図１１及び図１３に示すように、湯水混合水栓装置２の操作ハンドル４について、温調操作角度φを湯側の最大温調操作角度φ１に設定して湯側の温調操作位置Ｐ１に設定し、流調操作角度θを０度から２５度までの範囲内で開閉操作した場合、湯水混合水栓装置２の操作ハンドル４及び湯水混合バルブ装置１の操作レバー部材２４の流調操作角度θの範囲（θ０≦θ≦θ３）が、中間開状態操作角度θ３から全開状態操作角度θｍａｘまでの流調操作角度θの範囲（θ３＜θ≦θｍａｘ）よりも大きく設定される。また、全閉状態操作角度θ０から中間開状態操作角度θ３まで操作したときに流調操作角度θの増加に伴って、固定弁体１１４の通湯路１１４ａから可動弁体１１６の連通路１１６ａを通過する湯の流量増加量の変化率である流量増加率ｍ１，ｍ２が、中間開状態操作角度θ３から全開状態操作角度θｍａｘまで操作したときに流調操作角度θの増加に伴って、固定弁体１１４の通湯路１１４ａから可動弁体１１６の連通路１１６ａを通過する湯の流量増加量の変化率である流量増加率ｍ３よりも小さく設定される。
【００７２】
これらにより、湯水混合水栓装置２の低流量域（Ｑ≦ＱL）内の湯のみの吐水が要求されている場合には、湯水混合水栓装置２の操作ハンドル４及び湯水混合バルブ装置１の操作レバー部材２４を全閉状態操作角度θ０から中間開状態操作角度θ３までの大きな操作範囲（θ０≦θ≦θ３）で流調操作することにより、固定弁体１１４の通湯路１１４ａから可動弁体１１６の連通路１１６ａを通過した湯のみを湯水混合水栓装置２の吐水口６ａから低流量域（Ｑ≦ＱL）内で吐水することができる。
一方、湯水混合水栓装置２の高流量域（ＱL＜Ｑ≦Ｑｍａｘ）内の湯のみの吐水が要求されている場合には、中間開状態操作角度θ３から全開状態操作角度θｍａｘまでの小さい操作範囲（θ３＜θ≦θｍａｘ）で湯水混合水栓装置２の操作ハンドル４及び湯水混合バルブ装置１の操作レバー部材２４を流調操作することにより、固定弁体１１４の通湯路１１４ａから可動弁体１１６の連通路１１６ａを通過した湯のみが湯水混合水栓装置２の吐水口６ａから高流量域（ＱL＜Ｑ≦Ｑｍａｘ）内で吐水することができる。
【００７３】
また、代表的な例で説明するが、図１３の（ａ）に示すように、流調操作角度θを中間開状態操作角度θ２（例えば、θ２＝１５°）に設定し、可動弁体１１６によって開放されている状態の固定弁体１１４の通湯路１１４ａの開口断面積Ｓ１０１は、突起１３２が設けられていない図１３の（ｂ）に示す比較例の可動弁体１１６’によって開放される固定弁体１１４の通湯路１１４ａの開口断面積Ｓ１０３よりも狭められている。
【００７４】
同様に、図５、図６、図１０、図１１及び図１４に示すように、湯水混合水栓装置２の操作ハンドル４について、温調操作角度φを水側の最大温調操作角度φ２に設定して水側の温調操作位置Ｐ２に設定し、流調操作角度θを０度から２５度までの範囲内で開閉操作した場合、湯水混合水栓装置２の操作ハンドル４及び湯水混合バルブ装置１の操作レバー部材２４の流調操作角度θの範囲（θ０≦θ≦θ３）が、中間開状態操作角度θ３から全開状態操作角度θｍａｘまでの流調操作角度θの範囲（θ３＜θ≦θｍａｘ）よりも大きく設定される。また、全閉状態操作角度θ０から中間開状態操作角度θ３まで操作したときに流調操作角度θの増加に伴って、固定弁体１１４の通水路１１４ｂから可動弁体１１６の連通路１１６ａを通過する水の流量増加量の変化率である流量増加率ｍ１，ｍ２が、中間開状態操作角度θ３から全開状態操作角度θｍａｘまで操作したときに流調操作角度θの増加に伴って、固定弁体１１４の通水路１１４ｂから可動弁体１１６の連通路１１６ａを通過する水の流量増加量の変化率である流量増加率ｍ３よりも小さく設定される。
【００７５】
これらにより、湯水混合水栓装置２の低流量域（Ｑ≦ＱL）内の水のみの吐水が要求されている場合には、湯水混合水栓装置２の操作ハンドル４及び湯水混合バルブ装置１の操作レバー部材２４を全閉状態操作角度θ０から中間開状態操作角度θ３までの大きな操作範囲（θ０≦θ≦θ３）で流調操作することにより、固定弁体１１４の通水路１１４ｂから可動弁体１１６の連通路１１６ａを通過した水のみを湯水混合水栓装置２の吐水口６ａから低流量域（Ｑ≦ＱL）内で吐水することができる。
一方、湯水混合水栓装置２の高流量域（ＱL＜Ｑ≦Ｑｍａｘ）内の水のみの吐水が要求されている場合には、中間開状態操作角度θ３から全開状態操作角度θｍａｘまでの小さい操作範囲（θ３＜θ≦θｍａｘ）で湯水混合水栓装置２の操作ハンドル４及び湯水混合バルブ装置１の操作レバー部材２４を流調操作することにより、固定弁体１１４の通水路１１４ｂから可動弁体１１６の連通路１１６ａを通過した水のみが湯水混合水栓装置２の吐水口６ａから高流量域（ＱL＜Ｑ≦Ｑｍａｘ）内で吐水することができる。
【００７６】
また、代表的な例で説明するが、図１４の（ａ）に示すように、流調操作角度θを中間開状態操作角度θ２（例えば、θ２＝１５°）に設定し、可動弁体１１６によって開放されている状態の固定弁体１１４の通水路１１４ｂの開口断面積Ｓ１０２は、突起１３２が設けられていない図１４の（ｂ）に示す比較例の可動弁体１１６’によって開放される固定弁体１１４の通湯路１１４ａの開口断面積Ｓ１０４よりも狭められている。
【００７７】
上述した本発明の第２実施形態による湯水混合バルブ装置１００によれば、湯水混合水栓装置２の吐水口６ａから吐水される湯水の流量を調節する際、湯水混合水栓装置６の操作ハンドル４の操作によって操作レバー部材２４を可動弁体１６の摺動面に対して垂直な平面内で、全閉状態操作角度θ０から全開状態操作角度θｍａｘまでの範囲内で回動させることにより、可動弁体１６を閉弁状態から最大流量Ｑｍａｘの湯水を通過させる開弁状態まで固定弁体１４に対して摺動させて操作することができる。特に、操作ハンドル４を中央の温調操作位置Ｐ０に設定した状態で、流調操作角度θを操作することにより、湯水混合水栓装置２のスパウト６の吐水口６ａから水のみを吐水することができる。
また、可動弁体１１６の連通路１１６ａが流量絞り用の突起１３２を備えていることにより、湯水混合水栓装置２の操作ハンドル４及び湯水混合バルブ装置１の操作レバー部材２４が、全閉状態操作角度θ０と全開状態操作角度θmａｘとのほぼ中間の操作角度である中間開状態操作角度θ２に設定されているときに可動弁体１６の連通路１６ａを通過する湯水の流量Ｑ１が最大流量Ｑｍａｘの半分未満の低流量（Ｑ≦ＱL）域内に設定されるため、特に、湯水混合水栓装置２の操作ハンドル４及び湯水混合バルブ装置１の操作レバー部材２４を少なくとも全閉状態操作角度θ０から中間開状態操作角度θ２まで設定している使用頻度が高い操作範囲では、湯水混合水栓装置２から吐水が開始されてから低流量域（Ｑ≦ＱL）内で吐水を行うことができる。したがって、湯水混合水栓装置２の操作ハンドル４及び湯水混合バルブ装置１の操作レバー部材２４の操作範囲全体（０≦θ≦θｍａｘ）のうち、使用頻度が高く且つ低流量域（Ｑ≦ＱL）内の吐水が可能な操作範囲（θ０＜θ＜θ３）を大きく確保することができるため、流量調節をし易くすることができる。
【００７８】
また、本実施形態による湯水混合バルブ装置１００によれば、可動弁体１１６が閉弁状態であるときの全閉状態操作角度θ０から、この全閉状態操作角度θ０と全開状態操作角度θｍａｘとの中間値となる中間開状態操作角度θ２よりも大きい中間開状態操作角度θ３までの湯水混合水栓装置２の操作ハンドル４及び湯水混合バルブ装置１の操作レバー部材２４の流調操作角度θの範囲（θ０≦θ≦θ３）が、中間開状態操作角度θ３から全開状態操作角度θｍａｘまでの流調操作角度θの範囲（θ３＜θ≦θｍａｘ）よりも大きく設定されると共に、全閉状態操作角度θ０から中間開状態操作角度θ３まで操作したときに流調操作角度θの増加に伴って可動弁体１１６の連通路１１６ａを通過する湯水の流量増加量の変化率である流量増加率ｍ１，ｍ２が、中間開状態操作角度θ３から全開状態操作角度θｍａｘまで操作したときに流調操作角度θの増加に伴って可動弁体１１６の連通路１１６ａを通過する湯水の流量増加量の変化率である流量増加率ｍ３よりも小さく設定されている。これにより、湯水混合水栓装置２の操作ハンドル４及び湯水混合バルブ装置１の操作レバー部材２４の操作範囲全体（０≦θ≦θｍａｘ）のうち、全閉状態操作角度θ０から中間開状態操作角度θ３までの大半の操作範囲（θ０≦θ≦θ３）を、低流量域（Ｑ≦ＱL）内の吐水を実現する操作範囲として割り当てることができると共に、第２の中間開状態操作角度から全開状態操作角度までの比較的小さい操作範囲を、高流量域（ＱL＜Ｑ≦Ｑｍａｘ）の吐水を実現する操作範囲として割り当てることができる。
したがって、湯水混合水栓装置２の低流量域（Ｑ≦ＱL）内の吐水が要求されている場合には、湯水混合水栓装置２の操作ハンドル４及び湯水混合バルブ装置１の操作レバー部材２４を全閉状態操作角度θ０から中間開状態操作角度θ３までの大きな操作範囲（θ０≦θ≦θ３）で流調操作することにより、湯水混合水栓装置２から吐水が開始されてから低流量域内で吐水を行うことができるため、可動弁体１１６の連通路１１６ａを通過する湯水を、流量増加率ｍ３よりも小さい流量増加率ｍ１，ｍ２で細やかに流量調節を行うことができる。
一方、湯水混合水栓装置２の高流量域（ＱL＜Ｑ≦Ｑｍａｘ）内の吐水が要求されている場合には、中間開状態操作角度θ３から全開状態操作角度θｍａｘまでの小さい操作範囲（θ３＜θ≦θｍａｘ）で湯水混合水栓装置２の操作ハンドル４及び湯水混合バルブ装置１の操作レバー部材２４を流調操作することにより、可動弁体１１６の連通路１１６ａを通過する湯水を、流量増加率ｍ１，ｍ２よりも大きい流量増加率ｍ３で迅速に流量調節を行い、高流量域（ＱL＜Ｑ≦Ｑｍａｘ）内で吐水を行うことができ、使用者に対して高い操作性を実現することができる。
【００７９】
なお、本発明の第２実施形態において、湯水混合水栓装置２の操作ハンドル４及び湯水混合バルブ装置１００の操作レバー部材２４の操作範囲全体（０≦θ≦θｍａｘ）のうち、低流量域（Ｑ≦ＱL）の吐水を実現する操作範囲（θ０≦θ≦θ３）の上限値である中間開状態操作角度θ３は、全体状態操作角度θｍａｘが２５度に設定した場合（θｍａｘ＝２５°）、可能な限り２５°に近づけるのが好ましい。
【００８０】
さらに、本実施形態による湯水混合バルブ装置１００によれば、可動弁体１１６の連通路１６ａに流量絞り用の突起１３２が形成されており、この突起１３２における基端部Ｂ１０１から先端部Ｔ１０１までのそれぞれの長さｈ１０１，ｈ１０２（図１１参照）が、固定弁体１１４の通湯路１１４ａ及び通水路１１４ｂのそれぞれの流路断面における最小の幅寸法（縦寸法）Ｈ１，Ｈ２、より厳密には、固定弁体１１４の通湯路１４ａと通水路１４ｂとの区画壁１４ｄの中心軸線Ａ１０７の軸線方向における固定弁体１４の通湯路１４ａ及び通水路１４ｂのそれぞれの流路断面の最小の幅寸法（縦寸法）Ｈ１０１，Ｈ１０２よりも小さく設定されているため、湯水混合水栓装置２の操作ハンドル４及び湯水混合バルブ装置１の操作レバー部材２４を少なくとも全閉状態操作角度θ０から中間開状態操作角度θ３まで設定している使用頻度が高い操作範囲（θ０≦θ≦θ３）では、可動弁体１１６によって開放される固定弁体１１４の通湯路１１４ａ及び通水路１１４ｂの各開口面積Ｓ１０１，Ｓ１０２を突起１３２によって適度に狭めることができる。したがって、湯水混合水栓装置２から吐水が開始されてから低流量域（Ｑ≦ＱL）内で吐水を効果的に行うことができ、流量調節をし易くすることができる。
一方、湯水混合水栓装置２の操作ハンドル４及び湯水混合バルブ装置１の操作レバー部材２４を中間開状態操作角度θ３から全開状態操作角度θｍａｘまで設定している使用頻度が低い操作範囲（θ３＜θ≦θｍａｘ）では、固定弁体１１４の通湯路１１４ａ及び通水路１１４ｂの少なくとも一方から可動弁体１１６の連通路１１６ａに流入した湯水が、突起１３２の周囲を通過しやくなるため、高流量域（ＱL＜Ｑ≦Ｑｍａｘ）内で吐水を行うことができ、使用者に対して高い操作性を実現することができる。
【００８１】
また、本実施形態による湯水混合バルブ装置１００によれば、可動弁体１１６の突起１３２が平面視においてほぼ円弧形状に形成されていることにより、特に、湯水混合水栓装置２の操作ハンドル４及び湯水混合バルブ装置１００の操作レバー部材２４の操作により低流量域（Ｑ≦ＱL）内の吐水状態から高流量域（ＱL＜Ｑ≦Ｑｍａｘ）内の吐水状態に切り替える流量調節を行う際に、流調操作角度θの切り替えの前後で、流調操作角度θの増加に伴って可動弁体１１６の連通路１１６ａを通過する湯水の流量増加率ｍ１，ｍ２，ｍ３を非線形的に変化させることができるため、吐水流量をより滑らかに変化させて細やかな流量調節を行うことができる。
【００８２】
さらに、本実施形態による湯水混合バルブ装置１００によれば、可動弁体１１６の突起１３２において、その基端部Ｂ１０１と先端部Ｔ１０１とを結ぶ直線に対して垂直な方向の最大幅寸法Ｗ１０１（図１１参照）が、固定弁体１１４の通湯路１１４ａと通水路１１４ｂとの間の距離、すなわち、より厳密には、固定弁体１１４の通湯路１１４ａと通水路１１４ｂとを区画する区画壁１１４ｄの幅寸法ｗ１０１（図４参照）よりも大きく設定されているため、湯水混合水栓装置２の操作ハンドル４及び湯水混合バルブ装置１００の操作レバー部材２４の操作角度θ，φに応じて可動弁体１１６の連通路１１６ａの突起１３２が固定弁体１１４の通湯路１１４ａと通水路１１４ｂとの間に跨って配置される状態のときには、この突起１３２が固定弁体１１４の通湯路１１４ａと通水路１１４ｂのそれぞれの流路断面を部分的に確実に狭めることができる。したがって、固定弁体１１４の通湯路１１４ａと通水路１１４ｂのそれぞれから可動弁体１１６の連通路１１６ａに流入する湯水に対して効果的に流量を絞ることができる。
【００８３】
つぎに、図１５〜図１８を参照して、本発明の第３実施形態による湯水混合バルブ装置について説明する。
図１５は、本発明の第３実施形態による湯水混合バルブ装置において、湯水混合水栓装置の操作ハンドルを中央の温調操作位置（湯水混合水栓装置の正面位置）に設定し且つ流調操作角度を０度に設定したときの全閉状態及び全開状態の可動弁体と固定弁体を示す平面図である。ここで、図１５に示す可動弁体２１６においては、全閉状態の可動弁体２１６を実線及び符号「Ｃ」で示し、全開状態の可動弁体２１６を鎖線及び符号「Ｏ」で示している。
また、図１６の（ａ）は、本発明の第３実施形態による湯水混合バルブ装置において、湯水混合水栓装置の操作ハンドルを中央の温調操作位置（湯水混合水栓装置の正面位置）に設定し且つ流調操作角度を１５度に設定して水のみを吐水している状態の可動弁体と固定弁体を示す平面図であり、図１６の（ｂ）は、図１６の（ａ）に示す本発明の第３実施形態による湯水混合バルブ装置の可動弁体に対する比較例であり、可動弁体の連通路に流量絞り用のテーパ部が設けられていない状態の可動弁体と固定弁体を示す平面図である。
さらに、図１７の（ａ）は、本発明の第３実施形態による湯水混合バルブ装置において、湯水混合水栓装置の操作ハンドルを最も湯側の温調操作位置に設定し且つ流調操作角度を１５度に設定して湯のみを吐水している状態の可動弁体と固定弁体を示す平面図であり、図１７の（ｂ）は、図１７の（ａ）に示す本発明の第３実施形態による湯水混合バルブ装置の可動弁体に対する比較例であり、可動弁体の連通路に流量絞り用のテーパ部が設けられていない状態の可動弁体と固定弁体を示す平面図である。
また、図１８の（ａ）は、本発明の第３実施形態による湯水混合バルブ装置において、湯水混合水栓装置の操作ハンドルを最も水側の温調操作位置に設定し且つ流調操作角度を１５度に設定して水のみを吐水している状態の可動弁体と固定弁体を示す平面図であり、図１８の（ｂ）は、図１８の（ａ）に示す本発明の第３実施形態による湯水混合バルブ装置の可動弁体に対する比較例であり、可動弁体の連通路に流量絞り用のテーパ部が設けられていない状態の可動弁体と固定弁体を示す平面図である。
【００８４】
ここで、図１５〜図１８（ａ）に示す本発明の第３実施形態による湯水混合バルブ装置２００においては、その可動弁体２１６の連通路２１６ａの構造のみが、上述した本発明の第２実施形態による湯水混合バルブ装置１００の可動弁体１１６の連通路１１６ａの構造と異なっている。
したがって、本発明の第３実施形態による湯水混合バルブ装置２００においては、上述した本発明の第２実施形態による湯水混合バルブ装置１００と同一部分については同一の符号を付し、これらの説明は省略し、異なる部分のみについて説明する。
【００８５】
まず、図１５に示すように、本発明の第３実施形態による湯水混合バルブ装置２００にでは、図１５に示す可動弁体２１６の連通路２１６ａの平面視において、可動弁体２１６の中心軸線Ａ２０６に対して固定弁体１１４の通湯路１１４ａ側（図１５の中心軸線Ａ２０６よりも左側）に形成され且つ可動弁体２１６のほぼ中心Ｃ２０２よりも前側に位置する領域の内壁部は、連通路２１６ａの内側に向かって突出する突状部２１６ｂを形成している。このような突状部２１６ｂの構造においては、図１０に示す操作ハンドル４の温調操作角度φを０度に設定し、操作ハンドル４を中央の温調操作位置Ｐ０に設定した状態で、流調操作角度θを操作し、可動弁体２１６を図１５の前方に移動させて可動弁体２１６が図１５に実線で示す全閉状態Ｃから図１５に鎖線で示す全開状態Ｏとなっても、固定弁体１１４の通湯路１１４ａのみが図１５に鎖線で示す可動弁体２１６の突状部２１６ｂにより閉鎖され、固定弁体１１４の通水路１１４ｂ及び湯水混合路１１４ｃが開放されるようになっている。これにより、湯水混合水栓装置２のスパウト６の吐水口６ａから水のみが吐水されるようになっている。
また、可動弁体２１６の連通路２１６ａを通過する湯水の流量を絞る流量絞り部として、可動弁体２１６の連通路１１６ａの内周面における前方部分における可動弁体２１６の前後方向の中心軸線Ａ２０６に対して片側の部分がテーパ形状に形成されたテーパ部２３２が設けられている。このテーパ部２３２においては、図１５に示すように、テーパ部２３２の表面であるテーパ面２３２ａが、平面視で可動弁体２１６の中心軸線Ａ２０６に対して所定のテーパ角度β［°］（例えば、β＝４５°）で形成されている。なお、テーパ角度βについては、３０°〜６０°に設定されるのが好ましく、４０°〜５０°に設定されるのがより好ましく、４５°に設定されるのが最も好ましい。
さらに、可動弁体２１６の連通路２１６ａのテーパ面２３２ａにおいては、その前端部から後端部までの前後方向の幅寸法ｈ２０１が、突状部２１６ｂの前後方向の幅寸法Ｈ２００よりも小さく設定されている。これらの寸法の設定により、図１０に示す操作ハンドル４の温調操作角度φを０度に設定した状態で流調操作角度θを操作して可動弁体２１６が図１５に鎖線で示す全開状態Ｏとなっても、固定弁体１１４の通湯路１１４ａのみが、図１１に鎖線で示す可動弁体１１６の突状部１１６ｂにより閉鎖され、通水路１１４ｂ及び湯水混合路１１４ｃが開放され、湯水混合水栓装置２のスパウト６の吐水口６ａから水のみが吐水されるようになっている。
【００８６】
また、代表的な例で説明するが、湯水混合水栓装置２の操作ハンドル４について、温調操作角度φが０度である中央の温調操作位置Ｐ０に設定し、図１６の（ａ）に示すように、流調操作角度θを中間開状態操作角度θ２（例えば、θ２＝１５°）に設定した場合、可動弁体２１６によって開放されている状態の固定弁体１１４の通水路１１４ｂの開口断面積Ｓ２０２は、テーパ部２３２が設けられていない図１５の（ｂ）に示す比較例の可動弁体２１６’によって開放される固定弁体１１４の通水路１１４ｂの開口断面積Ｓ２０４よりも狭められている。
【００８７】
同様に、湯水混合水栓装置２の操作ハンドル４について、温調操作角度φを湯側の最大温調操作角度φ１に設定して湯側の温調操作位置Ｐ１に設定し、図１７の（ａ）に示すように、流調操作角度θを中間開状態操作角度θ２（例えば、θ２＝１５°）に設定した場合、可動弁体２１６によって開放されている状態の固定弁体１１４の通湯路１１４ａの開口断面積Ｓ２０１は、テーパ部２３２が設けられていない図１７の（ｂ）に示す比較例の可動弁体２１６’によって開放される固定弁体１１４の通湯路１１４ａの開口断面積Ｓ２０３よりも狭められている。
【００８８】
さらに、同様に、湯水混合水栓装置２の操作ハンドル４について、温調操作角度φを水側の最大温調操作角度φ２に設定して水側の温調操作位置Ｐ２に設定し、図１８の（ａ）に示すように、流調操作角度θを中間開状態操作角度θ２（例えば、θ２＝１５°）に設定した場合、可動弁体２１６によって開放されている状態の固定弁体１１４の通水路１１４ｂの開口断面積Ｓ２０２は、テーパ部２３２が設けられていない図１８の（ｂ）に示す比較例の可動弁体２１６’によって開放される固定弁体１１４の通水路１１４ｂの開口断面積Ｓ２０４よりも狭められている。
【００８９】
上述した本発明の第３実施形態による湯水混合バルブ装置２００によれば、固定弁体１１４の通湯路１１４ａ及び通水路１１ｂと対向している可動弁体２１６の連通路２１６ａ内の周面部分の一部が連通路２１６ａの流路断面を狭めるように可動弁体２１６の中心軸線Ａ２０６に対して所定のテーパ角度β傾けたテーパ形状に形成されている流量絞り用のテーパ部２３２を採用することによって、湯水混合水栓装置２の操作ハンドル４及び湯水混合バルブ装置２００の操作レバー部材２４を少なくとも全閉状態操作角度θ０から中間開状態操作角度θ３まで設定している使用頻度が高い操作範囲（θ０≦θ≦θ３）では、可動弁体２１６によって開放される固定弁体１１４の通湯路１１４ａ及び通水路１１４ｂの各開口面積Ｓ２０１，Ｓ２０２をテーパ部２３２によって適度に狭めることができる。したがって、湯水混合水栓装置２の操作ハンドル４及び湯水混合バルブ装置２００の操作レバー部材２４の操作範囲全体（０≦θ≦θｍａｘ）のうち、使用頻度が高く且つ低流量域（Ｑ≦ＱL）内の吐水が可能な操作範囲（θ０＜θ≦θ３）を大きく確保することができるため、流量調節をし易くすることができ、低流量域（Ｑ≦ＱL）内で吐水を効果的に行うことができ、流量調節をし易くすることができる。一方、湯水混合水栓装置２の操作ハンドル４及び湯水混合バルブ装置２００の操作レバー部材２４を中間開状態操作角度θ３から全開状態操作角度θｍａｘまで設定している使用頻度が低い操作範囲状態（θ３＜θ≦θｍａｘ）では、固定弁体１１４の通湯路１１４ａ及び通水路１１４ｂの少なくとも一方から可動弁体２１６の連通路２１６ａに流入した湯水が、テーパ部２３２を通過しやくなるため、高流量域（ＱL＜Ｑ≦Ｑｍａｘ）内で吐水を行うことができ、使用者に対して高い操作性を実現することができる。
【符号の説明】
【００９０】
１        湯水混合バルブ装置
２        湯水混合水栓装置（湯水混合水栓）
２ａ      湯水混合水栓装置本体（湯水混合水栓）
４        操作ハンドル
４ａ      操作ハンドル本体
４ｂ      操作ハンドルの先端部
６        スパウト
６ａ      吐水口
８        カウンター
１０        下側ケーシング部材（ケーシング）
１０ａ      通湯路
１０ｂ      通水路
１０ｃ      湯水混合路
１２        シール部材
１４        固定弁体
１４ａ      固定弁体の通湯路
１４ｂ      固定弁体の通水路
１４ｃ      固定弁体の湯水混合路
１４ｄ      固定弁体の通湯路と通水路との区画壁
１６        可動弁体
１６ａ      可動弁体の連通路
１６’      可動弁体（比較例）
１６ａ’    可動弁体の連通路（比較例）
１８        網部材
２０        可動弁体ガイド部材
２０ａ      突出部
２０ｂ      嵌合穴
２２        保持部材
２２ａ      貫通穴
２４        操作レバー部材（操作レバー部）
２４ａ      操作レバー部材の下端部
２４ｂ      操作レバー部材の上端部
２４ｃ      操作レバー部材の中間部
２６        シール部材
２８        上側ケーシング部材（ケーシング）
２８ａ      挿入穴
３０        接続部材
３２        流量絞り用の突起（流量絞り部）
３４        流量絞り用の突起（流量絞り部）
１１４        固定弁体
１１４ａ      固定弁体の通湯路
１１４ｂ      固定弁体の通水路
１１４ｃ      固定弁体の湯水混合路
１１４ｄ      固定弁体の通湯路と通水路との区画壁
１１６        可動弁体
１１６ａ      可動弁体の連通路
１１６ｂ      可動弁体の連通路の突状部
１１６’      可動弁体（比較例）
１１６ａ’    可動弁体の連通路（比較例）
１３２        流量絞り用の突起（流量絞り部）
２１６        可動弁体
２１６ａ      可動弁体の連通路
２１６ｂ      可動弁体の連通路の突状部
２１６’      可動弁体（比較例）
２１６ａ’    可動弁体の連通路（比較例）
２３２        可動弁体の連通路の流量絞り用のテーパ部（流量絞り部）
２３２ａ      可動弁体の連通路の流量絞り用のテーパ部のテーパ面（流量絞り部）
Ａ１      操作軸線
Ａ２      操作軸線
Ａ３      操作軸線Ａ２に対して垂直な前後方向の軸線
Ａ４      操作レバー部材の長手方向の軸線
Ａ５      固定弁体の前後方向の中心軸線
Ａ６      可動弁体の前後方向の中心軸線
Ａ７      固定弁体の区画壁の中心軸線
Ａ１０５  固定弁体の前後方向の中心軸線
Ａ１０６  可動弁体の前後方向の中心軸線
Ａ１０７  固定弁体の区画壁の中心軸線
Ｂ１      突起の基端部
Ｂ２      突起の基端部
Ｃ        全閉状態の可動弁体
Ｃ１      操作ハンドルの先端部の中心
Ｃ２      可動弁体の中心
Ｃ１０２  可動弁体の中心
Ｃ２０２  可動弁体の中心
Ｈ１      固定弁体の通湯路の流路断面における可動弁体の開閉方向の幅寸法
Ｈ２      固定弁体の通水路の流路断面における可動弁体の開閉方向の幅寸法
Ｈ１００  可動弁体の突状部の前後方向の幅寸法
Ｈ１０１  固定弁体の通湯路の流路断面における最小の幅寸法
Ｈ１０２  固定弁体の通水路の流路断面における最小の幅寸法
Ｈ２００  可動弁体の突状部の前後方向の幅寸法
ｈ１      突起の基端部から先端部までの長さ
ｈ２      突起の基端部から先端部までの長さ
ｈ２０１  可動弁体の連通路の流量絞り用のテーパ部の前後方向の幅寸法
Ｋ１      開口面積増加率
ｋ１      開口面積増加率
ｋ２      開口面積増加率
ｋ３      開口面積増加率
Ｍ１      流量増加率
ｍ１      流量増加率
ｍ２      流量増加率
ｍ３      流量増加率
Ｏ        全開状態の可動弁体
Ｐ０      温調操作位置
Ｐ１      温調操作位置
Ｐ２      温調操作位置
Ｑ        流量
Ｑ１      流量
Ｑ２      流量
Ｑ３      流量
ＱＬ      流量
Ｑｍａｘ  最大流量
Ｒ０      湯水混合操作領域
Ｒ１００  湯水混合操作領域
Ｒ１      湯側操作領域
Ｒ２      水側操作領域
Ｒ１０２  水側操作領域
Ｓ１      固定弁体の通湯路の開口断面積
Ｓ２      固定弁体の通水路の開口断面積
Ｔ１      突起の先端部
Ｔ２      突起の先端部
Ｗ１      突起の最大幅寸法
Ｗ２      突起の最大幅寸法
ｗ１      固定弁体の通湯路と通水路との間の水平方向の幅寸法
α        固定弁体の
β        可動弁体の連通路のテーパ部のテーパ角度
θ        操作ハンドルの流調操作角度
θ０      操作ハンドルの流調操作角度（全閉状態操作角度）
θ１      操作ハンドルの流調操作角度
θ２      操作ハンドルの流調操作角度（第１の中間開状態操作角度）
θ３      操作ハンドルの流調操作角度（第２の中間開状態操作角度）
θｍａｘ  操作ハンドルの最大流調操作角度
φ        操作ハンドルの温調操作角度
φ１      操作ハンドルの湯側の最大温調操作角度
φ２      操作ハンドルの水側の最大温調操作角度
φ３      操作ハンドルの温調操作角度
φ４      操作ハンドルの温調操作角度
φ１０４  操作ハンドルの温調操作角度
【図１】
2015197115.tif 000003
【図２】
2015197115.tif 000004
【図３】
2015197115.tif 000005
【図４】
2015197115.tif 000006
【図５】
2015197115.tif 000007
【図６】
2015197115.tif 000008
【図７】
2015197115.tif 000009
【図８】
2015197115.tif 000010
【図９】
2015197115.tif 000011
【図１０】
2015197115.tif 000012
【図１１】
2015197115.tif 000013
【図１２】
2015197115.tif 000014
【図１３】
2015197115.tif 000015
【図１４】
2015197115.tif 000016
【図１５】
2015197115.tif 000017
【図１６】
2015197115.tif 000018
【図１７】
2015197115.tif 000019
【図１８】
2015197115.tif 000020